(57)【要約】  サウンディングリファレンス信号を送信する方法、基地局及びユーザ装置である。該方法は、基地局が上り伝送用の下り制御情報を生成し、該下り制御情報は、ユーザ装置に非周期SRSの送信の要否及び該非周期SRSの送信時に用いるリソースを指示するための指示情報を含み、該指示情報は、該下り制御情報中の新データ指示子のビット及び非周期SRS要求のビットにより搬送され；ユーザ装置に該下り制御情報を送信し、該ユーザ装置に該下り制御情報中の指示情報に基づいて非周期SRSを送信させることを含む。本発明の実施例によれば、基地局は、上り伝送用の下り制御情報、例えばDCI  format  0又はDCI  format  4中の新データ指示子のビットを有効に利用することができるのみならず、選択の用に供するリソースを増やし、非周期SRSの衝突の発生を抑えることもできる。
2014505414.tif 000002
【特許請求の範囲】
【請求項１】
サウンディングリファレンス信号を送信する方法であって、
基地局が上り伝送用の下り制御情報を生成し、前記下り制御情報は、ユーザ装置に、非周期サウンディングリファレンス信号を送信するかどうか、及び、前記非周期サウンディングリファレンス信号を送信する時に用いるリソースを指示するための指示情報を含み、前記指示情報は、前記下り制御情報における新データ指示子のビット及び前記非周期サウンディングリファレンス信号要求のビットによりキャリーされ；及び
前記ユーザ装置に前記下り制御情報を送信し、前記ユーザ装置に、前記下り制御情報に含まれている前記指示情報に基づいて、前記非周期サウンディングリファレンス信号の送信を行わせることを含む、方法。
【請求項２】
請求項1に記載の方法であって、
前記基地局が複数組のリソースを構成し、前記複数組のリソースのうちの各組のリソースは、それぞれ、前記非周期サウンディングリファレンス信号の送信に用いるリソース情報を含み；及び
構成された前記複数組のリソースと、それ相応の指示情報とを対応させて記憶することを含み、
前記ユーザ装置に前記非周期サウンディングリファレンス信号の送信を指示する時に、前記指示情報により指示されている、前記ユーザ装置が使用するリソースが、予め構成された前記複数組のリソースのうちの一組である、方法。
【請求項３】
請求項1に記載の方法であって、
前記基地局が一組の、前記非周期サウンディングリファレンス信号の送信に用いるリソース情報における一部リソース情報を構成し、記憶し；
前記基地局が複数組の、前記一部リソース情報以外の、前記非周期サウンディングリファレンス信号の送信に必要なリソースを構成し；及び
構成された前記一部リソース情報以外の、前記非周期サウンディングリファレンス信号の送信に必要なリソースと、それ相応の指示情報とを対応させて記憶することを含み、
前記ユーザ装置に前記非周期サウンディングリファレンス信号の送信を指示する時に、前記指示情報により指示されている、前記ユーザ装置が使用するリソースが、前記一部リソース以外の、前記非周期サウンディングリファレンス信号の送信に必要なリソースである、方法。
【請求項４】
請求項2又は3に記載の方法であって、
前記非周期サウンディングリファレンス信号の送信に用いるリソース情報は、前記基地局が構成した、前記周期サウンディングリファレンス信号を送信するリソース情報のサブセットである、方法。
【請求項５】
請求項1に記載の方法であって、
前記基地局が、前記非周期サウンディングリファレンス信号要求のビットの状態数よりも一つ少ない数の複数組のリソースを構成し、構成された前記複数組のリソースと、前記非周期サウンディングリファレンス信号要求のビットの状態とを対応させて記憶し、前記複数組のリソースのうちの各組のリソースは、それぞれ、前記非周期サウンディングリファレンス信号の送信に用いるリソース情報における一部リソース情報を含み；及び
前記基地局が、前記新データ指示子のビットの状態数に等しい数の複数組の、前記一部リソース情報以外の、前記非周期サウンディングリファレンス信号の送信に必要なリソースを構成し、構成された該複数組のリソースと、前記新データ指示子のビットの状態とを対応させて記憶することを含み、
前記ユーザ装置に前記非周期サウンディングリファレンス信号の送信を指示する時に、前記指示情報により指示されている、前記ユーザ装置が使用するリソースは、前記新データ指示子のビットの状態が対応するリソース、及び、前記非周期サウンディングリファレンス信号要求のビットの状態が対応するリソースを含む、方法。
【請求項６】
請求項3に記載の方法であって、
前記基地局が、複数組の、前記一部リソース情報以外の、前記非周期サウンディングリファレンス信号の送信に必要なリソースを構成する時に、
前記新データ指示子のビットが1ビットである時に、前記新データ指示子のビットの状態及び前記非周期サウンディングリファレンス信号要求のビットの状態が、それぞれ、異なるリソース情報を指示するために用いられ；又は
前記新データ指示子のビットが2ビットである時に、前記新データ指示子の1ビットの状態が、一つのリソースを指示するために用いられ、前記新データの指示子の他のビット及び前記非周期サウンディングリファレンス信号要求のビットの状態が、他のリソースを指示するために用いられる、方法。
【請求項７】
サウンディングリファレンス信号を送信する方法であって、
ユーザ装置が基地局により送信された上り伝送用の下り制御情報を受信し、前記下り制御情報は、前記ユーザ装置に、非周期サウンディングリファレンス信号を送信するかどうか、及び、前記非周期サウンディングリファレンス信号を送信する時に用いるリソースを指示するための指示情報を含み、前記基地局は、前記下り制御情報における新データ指示子のビット及び前記非周期サウンディングリファレンス信号要求のビットを用いて、前記指示情報をキャリーし；及び
前記ユーザ装置が前記指示情報に基づいて前記非周期サウンディングリファレンス信号の送信を行うことを含む、方法。
【請求項８】
請求項7に記載の方法であって、
前記ユーザ装置が前記指示情報に基づいて前記非周期サウンディングリファレンス信号の送信を行うことは、
前記ユーザ装置が、前記指示情報が前記非周期サウンディングリファレンス信号の送信用の指示情報であると確定すれば、前記指示情報、及び、予め保存された、指示情報とリソースとの第一マッピング関係に基づいて、前記非周期サウンディングリファレンス信号の送信に用いるリソースを確定し、前記第一リソースマッピング関係は、前記基地局が構成した、複数組のリソースと前記指示情報との対応関係であり、前記複数組のリソースのうちの各組のリソースは、それぞれ、前記非周期サウンディングリファレンス信号の送信に用いるリソース情報を含み；及び
前記ユーザ装置が、確定された前記リソースを用いて、前記非周期サウンディングリファレンス信号を送信し、或いは、前記ユーザ装置が、確定された前記リソース及び予め保存されたリソースに基づいて、前記非周期サウンディングリファレンス信号を送信することを含む、方法。
【請求項９】
請求項7に記載の方法であって、
前記ユーザ装置が前記指示情報に基づいて前記非周期サウンディングリファレンス信号の送信を行うことは、
前記ユーザ装置が、前記指示情報が前記非周期サウンディングリファレンス信号の送信用の指示情報であると確定すれば、前記指示情報、及び、予め保存された、指示情報とリソースとの第二マッピング関係に基づいて、前記非周期サウンディングリファレンス信号の送信に用いるリソースを確定し、前記第二マッピング関係は、前記基地局が構成した、前記非周期サウンディングリファレンス信号の送信に用いるリソースにおける一部リソース情報以外の、前記非周期サウンディングリファレンス信号の送信に必要なリソースと、前記指示情報との対応関係であり；及び
前記ユーザ装置が、予め保存されたリソース及び確定された前記リソースを用いて、前記非周期サウンディングリファレンス信号の送信を行うことを含む、方法。
【請求項１０】
請求項7に記載の方法であって、
前記ユーザ装置が前記指示情報に基づいて前記非周期サウンディングリファレンス信号の送信を行うことは、
前記ユーザ装置が、前記指示情報が前記非周期サウンディングリファレンス信号の送信用の指示情報であると確定すれば、前記指示情報、及び、予め保存された、指示情報とリソースとの第三マッピング関係及び第四マッピング関係に基づいて、前記非周期サウンディングリファレンス信号の送信に用いるリソースを確定し、前記第三マッピング関係は、前記基地局が構成した複数組のリソースと、前記非周期サウンディングリファレンス信号要求のビットの状態との対応関係であり、前記複数組のリソースのうちの各組のリソースは、それぞれ、前記非周期サウンディングリファレンス信号の送信に用いるリソースにおける一部リソースを含み、前記第四マッピング関係は、前記基地局が構成した、前記非周期サウンディングリファレンス信号の送信に用いるリソースにおける一部リソース情報以外の、前記非周期サウンディングリファレンス信号の送信に必要なリソースと、前記新データ指示子のビットの状態との対応関係であり；及び
前記ユーザ装置が、確定された前記リソースを用いて、前記非周期サウンディングリファレンス信号の送信を行うことを含む、方法。
【請求項１１】
基地局であって、
上り伝送用の下り制御情報を生成するための情報生成ユニットであって、前記下り制御情報は、ユーザ装置に、非周期サウンディングリファレンス信号を送信するかどうか、及び、前記非周期サウンディングリファレンス信号を送信する時に用いるリソースを指示するための指示情報を含み、前記指示情報は、前記下り制御情報における新データ指示子のビット及び前記非周期サウンディングリファレンス信号要求のビットによりキャリーされる、情報生成ユニット；及び
前記ユーザ装置に前記下り制御情報を送信し、前記ユーザ装置に、前記下り制御情報に含まれている前記指示情報に基づいて、前記非周期サウンディングリファレンス信号の送信を行わせるための情報送信ユニットを含む、基地局。
【請求項１２】
請求項11に記載の基地局であって、
複数組のリソースを構成するための第一リソース構成ユニットであって、前記複数組のリソースのうちの各組リソースは、それぞれ、前記非周期サウンディングリファレンス信号の送信に用いるリソース情報を含む、第一リソース構成ユニット；及び
構成された前記複数組のリソースと、それ相応の指示情報とを対応させて記憶するための第一マッピング関係記憶ユニットを更に含み、
前記ユーザ装置に前記非周期サウンディングリファレンス信号の送信を指示する時に、前記指示情報により指示されている、前記ユーザ装置が使用するリソースは、予め構成された前記複数組のリソースのうちの一組である、基地局。
【請求項１３】
請求項11に記載の基地局であって、
一組の、前記非周期サウンディングリファレンス信号の送信に用いるリソース情報における一部リソース情報を構成するための第二リソース構成ユニット；
構成された前記一部リソース情報を記憶するための記憶ユニット；
複数組の、前記一部リソース情報以外の、前記非周期サウンディングリファレンス信号の送信に必要なリソースを構成するための第三構成ユニット；
構成された前記複数組の、前記一部リソース情報以外の、前記非周期サウンディングリファレンス信号の送信に必要なリソースと、それ相応の指示情報とを対応させて記憶するための第二マッピング関係記憶ユニットを更に含み、
前記ユーザ装置に前記非周期サウンディングリファレンス信号の送信を指示する時に、前記指示情報により指示されている、前記ユーザ装置が使用するリソースは、前記一部リソース情報以外の、前記非周期サウンディングリファレンス信号の送信に必要なリソースである、基地局。
【請求項１４】
請求項11に記載の基地局であって、
前記非周期サウンディングリファレンス信号要求のビットの状態数よりも一つ少ない数の複数組のリソースを構成するための第三リソース構成ユニット；
前記第三リソース構成ユニットにより構成された前記複数組のリソースと、前記非周期サウンディングリファレンス信号要求のビットの状態とを対応させて記憶するための第三マッピング関係記憶ユニットであって、前記複数組のリソースのうちの各組のリソースは、それぞれ、前記非周期サウンディングリファレンス信号の送信に用いるリソース情報における一部リソース情報を含む、第三マッピング関係記憶ユニット；
前記新データ指示子のビットの状態数に等しい数の複数組の、前記一部リソース情報以外の、前記非周期サウンディングリファレンス信号の送信に必要なリソースを構成するための第四リソース構成ユニット；及び
前記第四リソース構成ユニットにより構成された前記複数組リソースと、前記新データ指示子のビットの状態とを対応させて記憶するための第四マッピング関係記憶ユニットを更に含み、
前記ユーザ装置に前記非周期サウンディングリファレンス信号の送信を指示する時に、前記指示情報により指示されている、前記ユーザ装置が使用するリソースは、前記新データ指示子のビットの状態が対応するリソース、及び、前記非周期サウンディングリファレンス信号要求のビットの状態が対応するリソースを含む、基地局。
【請求項１５】
ユーザ装置であって、
基地局により送信された上り伝送用の下り制御情報を受信するための情報受信ユニットであって、前記下り制御情報は、前記ユーザ装置に、非周期サウンディングリファレンス信号を送信するかどうか、及び、前記非周期サウンディングリファレンス信号を送信する時に用いるリソースを指示するための指示情報を含み、前記基地局は、前記下り制御情報における新データ指示子のビット及び前記非周期サウンディングリファレンス信号要求のビットを用いて前記指示情報をキャリーする、情報受信ユニット；及び
前記指示情報に基づいて、前記非周期サウンディングリファレンス信号の送信を行うための情報処理ユニットを含む、ユーザ装置。
【請求項１６】
請求項15に記載のユーザ装置であって、
前記情報処理ユニットは、
前記指示情報が前記非周期サウンディングリファレンス信号の送信用の指示情報であるかどうかを判断するための第一判断ユニット；
前記指示情報が前記非周期サウンディングリファレンス信号の送信用の指示情報である時に、前記指示情報、及び、予め保存された、指示情報とリソースとの第一マッピング関係に基づいて、前記非周期サウンディングリファレンス信号の送信に用いるリソースを確定するための第一リソース確定ユニッであって、前記第一リソースマッピング関係は、前記基地局により構成された、複数組のリソースと前記指示情報と対応関係であり、前記複数組のリソースのうちの各組のリソースは、それぞれ、前記非周期サウンディングリファレンス信号の送信に用いるリソース情報を含む、第一リソース確定ユニット；及び
前記第一リソース確定ユニットにより確定された前記リソースを用いて、前記非周期サウンディングリファレンス信号を送信し、或いは、前記第一リソース確定ユニットにより確定されたリソース、及び、予め保存されたリソースを用いて、前記非周期サウンディングリファレンス信号を送信するための前記第一リソース確定ユニットを含む、ユーザ装置。
【請求項１７】
請求項15に記載のユーザ装置であって、
前記情報処理ユニットは、
前記指示情報が前記非周期サウンディングリファレンス信号の送信用の指示情報であるかどうかを判断するための第二判断ユニット；
前記指示情報が前記非周期サウンディングリファレンス信号の送信用の指示情報である時に、前記指示情報、及び、予め保存された、指示情報とリソースとの第二マッピング関係に基づいて、前記非周期サウンディングリファレンス信号の送信に用いるリソースを確定するための第二リソース確定ユニットであって、前記第二マッピング関係は、前記基地局が構成した、前記非周期サウンディングリファレンス信号の送信に用いるリソースにおける一部リソース情報以外の、前記非周期サウンディングリファレンス信号の送信に必要なリソースと、前記指示情報との対応関係である、第二リソース確定ユニット；及び
予め構成されたリソース、及び、前記第二リソース確定ユニットにより確定された前記リソースを用いて、前記非周期サウンディングリファレンス信号を送信するための第二信号送信ユニットを含む、ユーザ装置。
【請求項１８】
請求項15に記載のユーザ装置であって、
前記情報処理ユニットは、
前記指示情報が前記非周期サウンディングリファレンス信号の送信用の指示情報であるかどうかを判断するための第三判断ユニット；
前記指示情報が前記非周期サウンディングリファレンス信号の送信用の指示情報である時に、前記指示情報、及び、予め保存された、指示情報とリソースとの第三マッピング関係及び第四マッピング関係に基づいて、前記非周期サウンディングリファレンス信号の送信に用いるリソースを確定するための第三リソース確定ユニットであって、前記第三マッピング関係は、前記基地局が構成した、複数組のリソースと前記非周期サウンディングリファレンス信号要求のビットの状態との対応関係であり、前記複数組のリソースのうちの各組のリソースは、それぞれ、前記非周期サウンディングリファレンス信号の送信に用いるリソースにおける一部リソースを含み、前記第四マッピング関係は、前記基地局が構成した、前記非周期サウンディングリファレンス信号の送信に用いるリソースにおける一部リソース情報以外の、前記非周期サウンディングリファレンス信号の送信に必要なリソースと、前記新データ指示子のビットの状態との対応関係である、第三リソース確定ユニット；及び
前記第三リソース確定ユニットにより確定された前記リソースを用いて、前記非周期サウンディングリファレンス信号を送信するための第三信号送信ユニットを含む、ユーザ装置。
【請求項１９】
コンピュータ読み取り可能なプログラムであって、
基地局において前記プログラムを実行する時に、前記プログラムは、コンピュータに、前記基地局において、請求項1乃至6のうちの何れか一項に記載のサウンディングリファレンス信号を送信する方法を実行させる、プログラム。
【請求項２０】
コンピュータ読み取り可能なプログラムを記録した記録媒体であって、
前記コンピュータ読み取り可能なプログラムは、コンピュータに、基地局において請求項1乃至6のうちの何れか一項に記載のサウンディングリファレンス信号を送信する方法を実行させる、記録媒体。
【請求項２１】
コンピュータ読み取り可能なプログラムであって、
ユーザ装置において前記プログラムを実行する時に、前記プログラムは、コンピュータに、前記ユーザ装置において請求項7乃至10のうちの何れか一項に記載のサウンディングリファレンス信号を送信する方法を実行させる、プログラム。
【請求項２２】
コンピュータ読み取り可能なプログラムを記録した記録媒体であって、
前記コンピュータ読み取り可能なプログラムは、コンピュータに、ユーザ装置において請求項7乃至10のうちの何れか一項に記載のサウンディングリファレンス信号を送信する方法を実行させる、記録媒体。
【発明の詳細な説明】
【技術分野】
【０００１】
本発明は、無線通信分野に関し、特に、サウンディングリファレンス信号を送信する方法、基地局及びユーザ装置に関する。
【背景技術】
【０００２】
サウンディングリファレンス信号（SRS：Sounding  Reference  Signal）は、ユーザ装置（UE：User  Equipment）が基地局に送信した信号であり、基地局の上りスケジューリングにおけるチャネル品質測定、パワー制御、タイミング推定、及び、下りビーム形成をサポートする到来方向推定等に用いるリファレンス信号である。
【０００３】
ロング・ターム・エボリューション・システム（LTE：Long-term  Evolution  System）では、ユーザ装置UEは、基地局（eNB：e-NodeB）が指示したリソース、例えば、送信用帯域幅、周波数帯域開始位置、循環シフト（CS：Cyclic  Shift）及びサブフレームシフト等のパラメータに従って、周期的にサウンディングリファレンス信号SRSを送信し、且つ、各サブフレームの最後の一つの直交周波数分割多重（OFDM：Orthogonal  Frequency  Division  Multiplexing）シンボルにおいて伝送させる。該基地局eNBは、受信サウンディングリファレンス信号SRSに基づいて、該ユーザ装置UEからの上り無線チャネル状態情報（CSI：Channel  State  Information）を判断し、また、取得された無線チャネル状態情報CSIに基づいて、周波数域の選択やスケジューリング等の操作を行う。そのうち、該基地局eNBが指示したリソースは、上位層、即ち、無線リソース制御（RRC：Radio  Resource  Control）プロトコールにより構成される。
【０００４】
ロング・ターム・エボリューション・アドバンス・システム（LTE-Advanced：Advanced  Long-term  Evolution  System）では、非周期サウンディングリファレンス信号SRSの送信が追加されている。ここでは、説明の便宜のために、周期的に送信するサウンディングリファレンス信号を周期サウンディングリファレンス信号SRSと称し、非周期的に送信するサウンディングリファレンス信号を非周期サウンディングリファレンス信号SRSと称する。今のところ、基地局が送信した上り伝送用の下り制御情報（DCI：Downlink  Control  Information）によりトリガーを行い、即ち、DCI  format  0及びDCI  format  4により、ユーザ装置に、非周期サウンディングリファレンス信号SRSを送信するかどうかを通知し、及び、非周期サウンディングリファレンス信号SRSを送信する場合に使用するリソースを通知する。
【０００５】
しかし、本発明の発明者は、本発明の実現過程において、従来技術に次のような問題があることを発見した。即ち、今のところ、DCI  format  0における１bitを用いて非周期サウンディングリファレンス信号SRSをトリガーし、そのうち、‘0’は、非周期サウンディングリファレンス信号を送信しないことを表し、‘1’は、非周期サウンディングリファレンス信号を送信することを表し、且つ、一組のリソースのみを指示する。また、LTE-Aシステムでは、DCI  format  4における２bitを用いて非周期サウンディングリファレンス信号SRSをトリガーし、そのうち、“00”は、非周期サウンディングリファレンス信号を送信しないことを表し、“01/10/11”は、非周期サウンディングリファレンス信号を送信することを表し、且つ、それぞれ、三組のリソースを指示する。しかし、LTE-Aシステムでは、マルチアンテナ及びキャリアアグリゲーション（CA）の導入により、一組のリソースを構成し、又は、三組のリソースを構成しても、該非周期サウンディングリファレンス信号SRSの衝突が発生する可能性が仍然として比較的高く、リソース割り当ての柔軟性が限られている。今のところ、LTE-Aシステムには、上述の問題を簡単且つ有効に解決することができる方法がまだない。
【発明の概要】
【発明が解決しようとする課題】
【０００６】
本発明の実施例の目的は、サウンディングリファレンス信号を送信する方法、基地局及びユーザ装置を提供することにある。基地局は、上り伝送用の下り制御情報、例えば、DCI  format  0又はDCI  format  4における新データ指示子（NDI：New  Data  Indicator）のビット及び非周期サウンディングリファレンス信号要求（A-SRS  Request）のビットを利用することにより指示情報を送信し、これにより、ユーザ装置UEは、該指示情報に基づいて非周期サウンディングリファレンス信号SRSの送信を行うことができる。よって、DCI  format  0又はDCI  format  4における未使用のビットを有効に利用することができるのみならず、選択の用に供するリソースを増やし、非周期サウンディングリファレンス信号SRSの衝突の発生を抑えることもできる。
【課題を解決するための手段】
【０００７】
本発明の実施例の一側面によれば、サウンディングリファレンス信号を送信する方法が提供される。該方法は、
基地局により、上り伝送用の下り制御情報を生成し、そのうち、該下り制御情報は、ユーザ装置に、非周期サウンディングリファレンス信号を送信するかどうか、及び、該非周期サウンディングリファレンス信号を送信する時に使用するリソースを指示するための指示情報を含み、且つ、該下り制御情報における新データ指示子のビット及び非周期サウンディングリファレンス信号要求のビットにより、該指示情報をキャリー（Carry）し；及び
ユーザ装置に該下り制御情報を送信し、該ユーザ装置に、該下り制御情報に含まれている指示情報に基づいて、非周期サウンディングリファレンス信号の送信を行わせることを含む。
【０００８】
また、本発明の実施例の他の側面によれば、サウンディングリファレンス信号を送信する方法が提供される。該方法は、
ユーザ装置により、基地局が送信した上り伝送用の下り制御情報を受信し、そのうち、該下り制御情報は、ユーザ装置に、非周期サウンディングリファレンス信号を送信するかどうか、及び、非周期サウンディングリファレンス信号を送信する時に使用するリソースを指示するための指示情報を含み、且つ、該基地局が該下り制御情報における新データ指示子のビット及び非周期サウンディングリファレンス信号要求のビットを利用して該指示情報をキャリーし；及び
該ユーザ装置により、該指示情報に基づいて、非周期サウンディングリファレンス信号の送信を行うことを含む。
【０００９】
また、本発明の実施例の他の側面によれば、基地局が提供される。該基地局は、
上り伝送用の下り制御情報を生成するための情報生成ユニットであって、該下り制御情報は、ユーザ装置に、非周期サウンディングリファレンス信号を送信するかどうか、及び、該非周期サウンディングリファレンス信号を送信する時に使用するリソースを指示するための指示情報を含み、且つ、該下り制御情報における新データ指示子のビット及び非周期サウンディングリファレンス信号要求のビットにより該指示情報をキャリーする、情報生成ユニット；及び
ユーザ装置に該下り制御情報を送信し、該ユーザ装置に、該下り制御情報に含まれている指示情報に基づいて、非周期サウンディングリファレンス信号の送信を行わせるための情報送信ユニットを含む。
【００１０】
また、本発明の実施例の他の側面によれば、ユーザ装置が提供される。該ユーザ装置は、
基地局が送信した上り伝送用の下り制御情報を受信するための情報受信ユニットであって、該下り制御情報は、ユーザ装置に、非周期サウンディングリファレンス信号を送信するかどうか、及び、非周期サウンディングリファレンス信号を送信する時に使用するリソースを指示するための指示情報を含み、且つ、該下り制御情報における新データ指示子のビット及び非周期サウンディングリファレンス信号要求のビットにより、該指示情報をキャリーする、情報受信ユニット；
該情報受信ユニットが受信した該指示情報に基づいて、非周期サウンディングリファレンス信号の送信を行うための情報処理ユニットを含む。
【００１１】
また、本発明の実施例の他の側面によれば、コンピュータ読み取り可能なプログラムが提供される。そのうち、基地局において該プログラムを実行する時に、該プログラムは、コンピュータに、該基地局において上述のサウンディングリファレンス信号の送信方法を実行させる。
【００１２】
また、本発明の実施例の他の側面によれば、コンピュータ読み取り可能なプログラムを記録した記録媒体が提供される。そのうち、該コンピュータ読み取り可能なプログラムは、コンピュータに、基地局において上述のサウンディングリファレンス信号の送信方法を実行させる。
【００１３】
また、本発明の実施例の他の側面によれば、コンピュータ読み取り可能なプログラムが提供される。そのうち、ユーザ装置において該プログラムを実行する時に、該プログラムは、コンピュータに、該ユーザ装置において上述のサウンディングリファレンス信号の送信方法を実行させる。
【００１４】
また、本発明の実施例の他の側面によれば、コンピュータ読み取り可能なプログラムを記録した記録媒体が提供される。そのうち、該コンピュータ読み取り可能なプログラムは、コンピュータに、ユーザ装置において上述のサウンディングリファレンス信号の送信方法を実行させる。
【００１５】
本発明の実施例の有益な効果は、基地局が上り伝送用の下り制御情報、例えば、DCI  format  0又はDCI  format  4における新データ指示子（NDI：New  Data  Indicator）のビット及び非周期サウンディングリファレンス信号要求（A-SRS  Request）のビットを利用して指示情報を送信し、これにより、ユーザ装置UEが該指示情報に基づいて非周期サウンディングリファレンス信号SRSの送信を行うことができる。よって、DCI  format  0又はDCI  format  4における未使用のビットを有効に利用することができるのみならず、選択の用に供するリソースを増やし、非周期サウンディングリファレンス信号SRSの衝突の発生を抑えることもできる。
【００１６】
後述の説明及び図面には、本発明の特定の実施形態を詳細に開示し、本発明の原理及び採用可能な方式を詳しく記載する。なお、理解すべきは、本発明の実施形態は、範囲上では、それにより限定されることがないとのことである。また、添付した特許請求の範囲の精神及び技術的範囲内では、本発明の実施形態は、あらゆる変更、修正及び代替を含んでもよい。
【００１７】
また、一つの実施形態について行った説明及び/又は特徴は、同じ又は類似する方式で一つ以上の他の実施形態に使用し、他の実施形態における特徴と組み合わせ、又は、他の実施形態における特徴を置換することができる。
【００１８】
また、強調すべきは、“包括（有する）/含む”という語は、本文に使用する時に、特徴、装置、ステップ又はアセンブリの存在を指すが、一つ以上の他の特徴、装置、ステップ又はアセンブリの存在又は付加を排除しないとのことである。
【図面の簡単な説明】
【００１９】
添付した図面に基づく以下の詳細な説明により、本発明の実施例の上述及び他の目的、特徴及び利点はより明らかになる。
【図１】本発明の実施例1による非周期サウンディングリファレンス信号の送信方法のフローチャートである。
【図２】本発明の実施例3による非周期サウンディングリファレンス信号の送信方法のフローチャートである。
【図３】本発明の実施例4による基地局側の非周期サウンディングリファレンス信号の送信方法のフローチャートである。
【図４】本発明の実施例4によるユーザ装置側の非周期サウンディングリファレンス信号の送信方法のフローチャートである。
【図５】本発明の実施例5による基地局の構成図である。
【図６】本発明の実施例6による基地局の構成図である。
【図７】本発明の実施例7による基地局の構成図である。
【図８】本発明の実施例8による基地局の構成図である。
【図９】本発明の実施例9によるユーザ装置の構成図である。
【図１０】本発明の実施例9による情報処理ユニットの構成図である。
【図１１】本発明の実施例9による情報処理ユニットの構成図である。
【図１２】本発明の実施例9における情報処理ユニットの構成図である。
【発明を実施するための形態】
【００２０】
以下、図面を参照しながら本発明の各種の実施形態について説明を行う。これらの実施形態は、例示的なものだけであり、本発明を限定するためのものではない。当業者が本発明の原理及び実施形態を容易に理解し得るために、本発明の実施形態では、ロング・ターム・エボリューション・アドバンスド（LTE-A：Long-term  Evaluation  Advanced）の周波数分割多重（FDD：Frequency  Division  Duplex）システムを例として説明を行う。しかし、理解すべきは、本発明は上述のシステムに限定されず、非周期SRSの送信に関する他の帯域幅のシステムにも適用するとのことである。
【００２１】
実施例1
図1は、本発明の実施例1によるサウンディングリファレンス信号の送信方法のフローチャートである。図1に示すように、該方法は、次のようなステップを含む、
ステップ101：基地局が上り伝送に用いる下り制御情報DCIを生成し、該下り制御情報は、ユーザ装置UEに、非周期サウンディングリファレンス信号を送信するかどうか、及び、該非周期サウンディングリファレンス信号を送信する時に使用するリソースを指示するための指示情報を含み；且つ、該下り制御情報における新データ指示子のビット及び非周期サウンディングリファレンス信号要求のビットにより、該指示情報をキャリーする。
【００２２】
ステップ102：該基地局がユーザ装置UEに該下り制御情報DCIを送信し、該ユーザ装置UEに、該下り制御情報DCIに含まれている指示情報に基づいて、非周期サウンディングリファレンス信号SRSの送信を行わせる。
【００２３】
LTE-Aシステムでは、背景技術に記載のように、今のところ、上りチャネル情報の適時性及正確性を向上させるために、上りPUSCHにて送信する下り制御情報（DCI）、例えば、DCI  format  0及びDCI  format  4をスケジューリングすることにより、ユーザ装置UEに、非周期サウンディングリファレンス信号SRSの送信を指示することができる。また、該ユーザ装置UEに、非周期サウンディングリファレンス信号SRSの送信を指示する時に、該非周期サウンディングリファレンス信号SRSの送信に使用するリソース情報を指示することもできる。
【００２４】
表1は、本発明の実施例のLTE-AFDDシステムにおける10MHz帯域幅の構成の下で、DCI  format  0がキャリーする情報及長さを示している。そのうち、3bitのキャリア指示子は、ユーザ専用の探索空間にのみ構成することができ、1bitの非周期SRS要求は、ユーザ専用の探索空間にのみ構成することができ、2bitの非周期CQI要求は、ユーザ専用の探索空間にのみ構成することができ、公共探索空間又は単一キャリアの時には、1bitのみとして構成され、表中のペイロードは、充填ビットが未統計である。表2は、本発明の実施例のLTE-AFDDシステムにおけるDCI  format  4がキャリーする情報及長さを示している。そのうち、3bitのキャリア指示子は、ユーザ専用の探索空間にのみ構成することができ、2bitの非周期CQI要求は、複数キャリアの時にのみ構成することができ、単一キャリアの時には、1bitのみとして構成される。表中のペイロードは、充填ビットが未統計である。
【表１】
2014505414.tif 000003
【表２】
2014505414.tif 000004
【００２５】
また、今のところ、DCI  format  0又はDCI  format  4を用いて非周期チャネル状態情報CSIをトリガーする時に、ユーザ装置は、非周期チャネル状態情報CSIを上り制御情報に含めることができる。上り物理共有チャネルPUSCHにより基地局に伝送する時に、PUSCH上で伝送する、非周期CSIを含む上り制御情報UCIは、1）該上り制御情報UCIが単独でPUSCH上で伝送され（CQI-only  PUSCH）、即ち、該非周期CSIを伝送する時に上りデータを伝送せず；2）該上り制御情報UCIが上りデータとともにPUSCH上で伝送され、即ち、該非周期CSIを伝送する時に上りデータをも伝送する；との二つの場合に分けることができる。
【００２６】
そのうち、第一の場合には、DCI  format  0又はDCI  format  4におけるNDIのビットを使用する必要がなく、且つ、今のところ、該未使用の新データ指示子（NDI：New  Data  Indicator）のビットが有効に利用されていない。表1に示すように、DCI  format  0では、該NDIのビット数が1であり、DCI  format  4では、該NDIのビット数が2である。
【００２７】
よって、本発明の実施例では、基地局は、上り物理共有チャネル（PUSCH）送信用の下り制御情報、例えば、DCI  format  0又はDCI  format  4における新データ指示子（NDI：New  Data  Indicator）のビット及び非周期サウンディングリファレンス信号要求（A-SRS  Request）のビットを用いて、非周期サウンディングリファレンス信号SRSのトリガーを指示するための指示情報、及び、非周期サウンディングリファレンス信号SRSを送信するリソース情報を指示するための指示情報を一緒にキャリーする。このようにして、DCI  format  0又はDCI  format  4における未使用のビットを有効に利用することができるのみならず、選択の用に供するリソースを増やし、非周期サウンディングリファレンス信号SRSの衝突の発生を抑えることもできる。
【００２８】
本実施例では、ステップ101において、該基地局は、伝送パターン及びシステム要求に応じてそれ相応の下り制御情報DCIを生成することができ、これは、従来技術に類似するので、ここでは、その詳しい説明を略す。そのうち、DCI  format  0又は4における新データ指示子NDIのビット及び非周期サウンディングリファレンス信号要求（A-SRS  Request）のビットを用いて、非周期サウンディングリファレンス信号SRSの送信をトリガーすることとは、非周期サウンディングリファレンス信号SRSを送信するかどうか（送信の要否）を指示し、及び、非周期サウンディングリファレンス信号SRSを送信するためのリソース情報を指示することを指す。
【００２９】
実施例2
本実施例は、実施例1に基づくものであり、基地局が上り伝送用の下り制御情報DCIを生成する前に、基地局が非周期SRSの送信に使用するリソースを構成し、そして、構成されたリソースをユーザ装置に通知するとのステップを更に含む。
【００３０】
本実施例では、該基地局は、上位層シグナリング、例えば、RRCプロトコールにより構成を行うことができる。
【００３１】
本実施例では、該基地局は、次のような方式を採用し、非周期SRSの送信に使用するリソースを構成する。
【００３２】
第一種方式：該基地局が複数組のリソースを構成し、該複数組のリソースのうちの各組のリソースは、該非周期サウンディングリファレンス信号の送信に用いるリソース情報を含み、そして、構成された該複数組のリソースとそれ相応の指示情報とを対応させて記憶する。
【００３３】
この場合、基地局が上述のビットを用いて、ユーザ装置に、非周期サウンディングリファレンス信号SRSの送信を指示する時に、該指示情報により指示されている、ユーザ装置UEが使用するリソースは、予め構成された複数組のリソースのうちの一組である。
【００３４】
また、上位層シグナリングを節約するために、該非周期サウンディングリファレンス信号SRSの送信に使用するリソース情報における一部リソース情報のみを構成し、周期SRSの送信に共用（share）のリソースを構成しなくてもよい。このようにして、基地局が構成するリソース情報は、基地局が構成する周期サウンディングリファレンス信号SRSの送信用のリソース情報のサブセットであってもよい。
【００３５】
例1：DCI  format  0については、1bitのNDI及び1bitのA-SRS要求により指示情報をキャリーする時に、基地局は、異なる状態にそれぞれ対応する3組のリソースを送信してもよく、そのうち、“00”は、非周期SRSを送信しないことを表し、“01/10/11”は、非周期SRSを送信することを表し、且つ、異なる状態は、異なるリソースに対応する。
【００３６】
例2：DCI  format  4については、1bitのNDI及び2bitのA-SRS要求により指示情報をキャリーする時に、基地局は、異なる状態にそれぞれ対応する7組のリソースを構成してもよく、そのうち、“000”は、非周期SRSを送信しないことを表し、“001/010/011/100/101/110/111”は、非周期SRSを送信することを表し、且つ、異なる状態は、異なるリソースに対応する。
【００３７】
そのうち、利用されるNDIの1bitは、使用される伝送ブロック（TB：Transport  Block）に対応するNDIの1bitであってもよく、未使用の伝送ブロックTBに対応するNDIの1ビットであってもよく、好ましくは、使用されるNDIの1ビットを用い、これにより、使用されるビットを十分に用いるができる。
【００３８】
例3：DCI  format  4については、2bitのNDI及び2bitのA-SRS要求により指示情報をキャリーする時に、基地局は、異なる状態にそれぞれ対応する15組のリソースを構成してもよく、そのうち、“0000”は、非周期SRSを送信しないことを表し、“0001/0010/0011/0100/0101/0110/0111/1000/1001/1010/1011/1100/1101/1110/1111”は、非周期SRSを送信することを表し、且つ、異なる状態は、異なるリソースに対応する。
【００３９】
第二種方式：該基地局が、一組の、該非周期サウンディングリファレンス信号の送信に使用するリソース情報における一部リソース情報を構成し、そして、記憶し；及び
該基地局が、複数組の、該一部リソース情報以外の、該非周期サウンディングリファレンス信号の送信に必要なリソースを構成し、そして、構成された、該一部リソース情報以外の、該非周期サウンディングリファレンス信号の送信に必要なリソースとそれ相応の指示情報とを対応させて記憶する。
【００４０】
この場合、該基地局が、該ユーザ装置UEに、非周期サウンディングリファレンス信号SRSの送信を指示する時に、該指示情報により指示されている、ユーザ装置が使用するリソースは、該一部リソース以外の、該非周期サウンディングリファレンス信号の送信に必要なリソースである。
【００４１】
この場合は、第一種方式に比べ、上位層情報のコストを節約することができる。
【００４２】
また、上位層情報のコストを更に節約するために、該基地局が構成した一組の一部リソース情報には、周期SRSの送信に共用のリソース情報が含まれなくてもよい。
【００４３】
この場合については、以下に実例を挙げて説明を行う。
【００４４】
第三種方式：該基地局が、非周期SRS要求のビットの状態数よりも一つ少ない複数組のリソースを構成し、そして、構成された該複数組のリソースと、該非周期サウンディングリファレンス信号要求のビットの状態とを対応させて記憶し、そのうち、該複数組のリソースのうちの各組のリソースは、非周期サウンディングリファレンス信号の送信に使用するリソース情報における一部リソース情報を含み；
該基地局が、該新データ指示子のビットの状態数に等しい数の複数組の、該一部リソース情報以外の、非周期サウンディングリファレンス信号の送信に必要なリソースを構成し、そして、構成された該複数組のリソースと、該新データ指示子のビットの状態とを対応させて記憶し；及び
ユーザ装置に、非周期サウンディングリファレンス信号の送信を指示する時に、該指示情報により指示されている、ユーザ装置が使用するリソースは、NDIのビットの状態に対応するリソース、及び、非周期SRS要求のビットの状態に対応するリソースを含む。
【００４５】
この場合については、以下に実例を挙げて説明を行う。
【００４６】
第四種方式：基地局が、複数組の、該一部リソース情報以外の、非周期サウンディングリファレンス信号SRSの送信に必要なリソースを動的に構成する時に、具体的には、
1、該NDIのビットが1ビットである時に、該NDIのビットの状態及び非周期サウンディングリファレンス信号要求のビットの状態は、異なるリソース情報をそれぞれ指示するために用いられ；及び
2、該新データ指示子のビットが2ビットである時に、該新データ指示子の1ビットの状態は、一つのリソースを指示するために用いられ、該新データ指示子の他の１ビット及び該非周期サウンディングリファレンス信号要求のビットは、もう一つのリソースを指示するために用いられる。
【００４７】
この場合については、以下に実例を挙げて説明を行う。
【００４８】
上述のリソースの構成では、非周期SRSの送信に使用するリソース、及び、非周期SRSの送信に使用するリソースにおける共用リソースについて、予め構成し、そして、ユーザ装置UEに通知してもよく、このようにして、基地局が非周期SRSの送信に使用するリソースを構成する時に、この部分の共用リソースを構成せず、上位層シグナリングを節約することができる。
【００４９】
以下、基地局がDCI  format  0及びDCI  format  4をそれぞれ生成するという二つの場合を例として説明を行う。
【００５０】
実例一：DCI  format  0について
表1に示すように、DCI  format  0では、新データ指示子NDIの1bit及び非周期SRS要求の1bitのトータルで2bitの‘XY’により該指示情報をキャリーし、そのうち、例えば、“X”は、NDIのビットに対応する状態であり、“Y”は、A-SRS要求のビットに対応する状態であるが、これに反して、同様である。
【００５１】
本実施例では、該基地局が予め三組のリソースを構成してもよく、該三組のリソースのうちの各組のリソースは、該非周期サウンディングリファレンス信号の送信に使用するリソース情報を含み；その後、構成された該三組のリソースと該2bitの指示情報とを対応させて記憶し；且つ、ユーザ装置に、非周期サウンディングリファレンス信号の送信を指示する時に、該指示情報により指示されている、ユーザ装置が使用するリソースは、予め構成された三組のリソースのうちの一組であり；そのうち、該三組のリソースは、完全に、上位層シグナリングにより構成され、例えば、無線リソース制御（Radio  Resource  Control、RRC）プロトコールにより構成される。
【００５２】
表3は、本発明の実施例において、2bitの指示情報と、対応するリソースとのマッピング関係表を示している。表3に示すように、‘XY’=‘00’の時は、ユーザ装置が非周期サウンディングリファレンス信号SRSを送信する必要がなく、リソースを構成する必要がないことを表し、‘XY’=‘01’/‘10’/‘11’の時は、それ相応に、基地局がユーザ装置UEのために三組のリソースを構成し、各状態が一組のリソースに対応する。
【００５３】
そのうち、構成されたリソースの数値は、実際の状況に応じて決められてもよいが、ここでは、シンボルだけで示される。
【表３】
2014505414.tif 000005
【００５４】
表3から分かるように、‘XY’=‘01’/‘10’/‘11’の時は、ユーザ装置UEが所定時間に非周期サウンディングリファレンス信号SRSを送信することを表し、且つ、何番目の組のリソースを使用するかをも指示する。そのうち、該ユーザ装置UEが所定時間に非周期SRSを送信することは、具体的に、ユーザ装置UEがn個目のサブフレームに指示情報を含むDCIを受信すれば、ユーザ装置UEが少なくとも4個のサブフレームの後の第1個の、周期及びオフセット条件を満たすサブフレームにて非周期SRSを送信することを含む。
【００５５】
表3に示すように、該リソース情報は、SRS周期（SRS  Periodicity）、SRSオフセット（SRS  Subframe  Offset）、SRS帯域幅（SRS  Bandwidth）、周波数領域の位置（Frequency  Domain  Position）、ホッピング帯域幅（SRS  Hopping  Bandwidth）（ホッピング機能をサポートすれば）、伝送コム（Transmission  Comb）、循環シフト（Cyclic  Shift）、アンテナ情報、例えば、アンテナポート数（Number  of  Antenna  Ports）を含んでもよく、又は、キャリア情報、例えば、コンポーネントキャリアインデックス数（Number  of  CC  Index）等を更に含んでもよい。
【００５６】
本実施例では、基地局が、構成された表3に示すようなマッピング関係を、ユーザ装置に通知し、ユーザ装置UE側に記憶させる。このようにして、ユーザ装置UEは、下り制御情報DCIを受信した時に、そのうちの指示情報、及び、予め保存された、指示情報と使用されるリソースとのマッピング関係（表3に示すように）に基づいて、非周期サウンディングリファレンス信号SRSを送信するかどうかを確定し、及び、非周期サウンディングリファレンス信号SRSを送信する場合に、使用すべきリソースを確定する。
【００５７】
上述の実施例では、該基地局が構成した非周期サウンディングリファレンス信号SRSの送信に使用するリソース情報は、該非周期サウンディングリファレンス信号SRSの送信に必要な全部リソース情報を含んでもよい。該各組のリソースは、周期性SRSに対応するリソース情報と同じであるが、その具体的な値は、周期SRSと異なってもよい。
【００５８】
実例二：DCI  format  0について
実例一のもとに、シグナリングのコストを更に低減するために、基地局が上位層シグナリングにより構成するリソース情報における幾つかのリソース情報が周期サウンディングリファレンス信号SRS及び非周期サウンディングリファレンス信号SRSの送信時の共用ものであるが、基地局が一般的に上位層シグナリングにより周期性SRSの送信に使用する全部リソース情報を構成するということを考慮した上で、基地局が上位層シグナリングにより非周期サウンディングリファレンス信号SRSの送信に使用するリソース情報を構成する時に、これらの共有リソースを構成しなくてもよい。このようにして、該基地局が構成した複数組のリソースのうちの各組のリソースに含まれる、該非周期サウンディングリファレンス信号SRSの送信に使用するリソース情報は、基地局が上位層シグナリングにより構成した周期性のサウンディングリファレンス信号SRSの送信に使用するリソース情報の一つのサブセットである。このようにして、ユーザ装置UEは、基地局が上位層シグナリングにより構成した非周期SRSの送信に使用するリソース、及び、予め保存された共有リソースに基づいて、非周期SRSを送信することができる。
【００５９】
表4は、本発明の実施例において、2bitの指示情報と、対応するリソースとのマッピング関係表を示している。そのうち、基地局が構成した非周期SRSの送信に使用するリソースは、周期SRSの送信に使用するリソースのサブセットである。
【表４】
2014505414.tif 000006
【００６０】
該表4には、非周期SRSの送信に必要な全部リソースにおける一部リソースが含まれていれば、即ち、共有リソース、例えばSRS周期やSRSオフセットが含まれていなければ、非周期SRSの送信を確定した場合、該指示情報、及び、予め保存された、指示情報と使用されるリソースとのマッピング関係（例えば、表4）に基づいて、非周期SRSの送信に使用するリソースを確定することができる。その後、該ユーザ装置UEは、確定されたリソース及び予め保存された共有リソースを用いて非周期SRSを送信する。
【００６１】
実例三：DCI  format  0について
本実施例では、上述のように、上位層シグナリングにより非周期サウンディングリファレンス信号SRSの送信に使用するリソース情報を構成する以外に、本発明の実施例では、次のような動的構成の方式を採用し、非周期サウンディングリファレンス信号SRSの送信に使用するリソースを構成することもできる。
【００６２】
該基地局は、一組の、該非周期サウンディングリファレンス信号SRSの送信に使用するリソース情報における一部リソース情報を構成し、該一部リソース情報は、基地局が上位層シグナリング、例えば、RRCにより構成されてもよく；その後、構成された該一部リソース情報を記憶し、且つ、ユーザ装置UE側にも記憶させる。
【００６３】
そのうち、該一部リソース情報は、ユーザ装置UEが非周期サウンディングリファレンス信号SRSを送信するために必要なリソース情報の一部であり、即ち、非周期サウンディングリファレンス信号SRSの送信に必要なリソース情報のサブセットである。また、基地局は、該一部リソース情報以外の、該非周期サウンディングリファレンス信号の送信に必要なリソースをも構成し、そのうち、該リソースは、上位層シグナリングにより構成された一部リソース情報以外のリソースのうちの一つ又は幾つを含むが、場合によって決められてもよい。また、該基地局は、該上位層シグナリングにより構成された一部リソース情報以外のリソースと、それ相応の指示情報とを対応させて保存し、ユーザ装置UEに通知し、且つユーザ装置UE側にも該対応関係を保存させる。また、ユーザ装置UEに、非周期サウンディングリファレンス信号SRSの送信を指示する時に、該指示情報により指示されている、ユーザ装置UEが使用するリソースは、該一部リソース以外の、該非周期サウンディングリファレンス信号SRSの送信に必要なリソースである。
【００６４】
上述から分かるように、ユーザ装置UEが非周期サウンディングリファレンス信号SRSを送信するために使用する情報は、一部が上位層シグナリングにより構成されてもよく、一部が指示情報により指示されてもよい。このようにして、上位層シグナリングのコストを低減し、非周期サウンディングリファレンス信号SRSをより柔軟に送信し、ユーザ装置UE間の衝突の確率を減少させることができる。そのうち、動的に構成されたリソース情報は、アンテナ情報、キャリア情報、及び循環シフトのうちの一つ又は幾つを含んでもよいが、これに限定されず、実際の状況に応じて、動的に構成する必要があるリソースを確定してもよい。
【００６５】
表5は、基地局がRRCシグナリングにより構成した一組の、該非周期サウンディングリファレンス信号SRSの送信に使用するリソース情報における一部リソース情報を示している。表3に比べ、アンテナポート数（Number  of  antenna  ports）は、構成されていないが、該アンテナポート数については、図6に示すように、基地局が指示情報により動的に構成する。
【表５】
2014505414.tif 000007
【００６６】
表6は、本発明の実施例において、アンテナポート数（Number  of  antenna  ports）と、指示情報とのマッピング関係表（動的構成用）を示している。
【表６】
2014505414.tif 000008
【００６７】
また、基地局は、RRCシグナリングにより、一組の、該非周期サウンディングリファレンス信号SRSの送信に使用するリソース情報における一部リソース情報をも構成してもよく、例えば、CCインデックス又は循環シフトが含まれず、該情報は、基地局により動的に構成されてもよい。表7は、本発明の実施例において、CCインデックス（Index  of  component  carriers）と、指示情報とのマッピング関係表を示している。表8は、本発明の実施例において、循環シフト（Cyclic  shift）と、指示情報とのマッピング関係表を示している。
【表７】
2014505414.tif 000009
【表８】
2014505414.tif 000010
【００６８】
上述の実施例では、一つのリソース情報を動的に指示することを例として説明したが、これ以外に、上述のリソースのうちの一つ又は複数を動的に指示することもできるので、ここでは、その詳しい説明を略す。
【００６９】
本実施例では、リソースを動的に指示する場合、基地局が表6、表7又は表8に示すマッピング関係、及び、上位層により構成された一組の一部リソース情報をすべてユーザ装置に通知し、また、ユーザ装置UE側に記憶させる。このようにして、ユーザ装置UEは、下り制御情報DCIを受信した時に、その中の指示情報に基づいて、非周期サウンディングリファレンス信号SRSの送信の要否を確定し、及び、非周期サウンディングリファレンス信号SRSを送信する場合に、該指示情報、及び、予め保存された、指示情報と、使用されるリソースとのマッピング関係（表6、表7又は表8に示すように）に基づいて、動的に割り当てられたリソース情報を確定し、且つ、該ユーザ装置UEは、動的に割り当てられたリソース情報、及び、上位層シグナリングにより構成された一部リソース情報に基づいて、非周期サウンディングリファレンス信号SRSを送信する。
【００７０】
上述の実施例では、表4に示すような該一部リソース情報には、周期サウンディングリファレンス信号SRS及び非周期サウンディングリファレンス信号SRSの送信時の共有リソースが含まれている。
【００７１】
実例四：DCI  format  0について
実例三のもとに、シグナリングのコストを更に低減するために、基地局が構成した表5に示すようなリソースには、周期SRSと共有の上述のリソースが含まれなくてもよい。例えば、SRS周期やSRSオフセット等は含まれなくてもよい。
【００７２】
表9は、基地局がRRCシグナリングにより構成した一組の、該非周期サウンディングリファレンス信号SRSの送信に使用するリソース情報における一部リソース情報を示している。表5に比べたら、共有リソースは構成されておらず、また、アンテナポート数については、表6に示すように、基地局が指示情報により動的に構成する。
【表９】
2014505414.tif 000011
【００７３】
このようにして、ユーザ装置UEは、下り制御情報DCIを受信した時に、非周期サウンディングリファレンス信号の送信を確定した場合、その中の指示情報、及び、予め保存された、指示情報と、使用されるリソースとのマッピング関係（表6、表7又は表8に示すように）に基づいて、使用すべきリソースを確定し、その後、確定されたリソース、基地局が構成した一組のリソース（例えば、表9）、及び、予め保存された該共有リソースを用いて、非周期サウンディングリファレンス信号SRSを送信する。
【００７４】
上述の実施例から分かるように、基地局は、上り伝送用のDCI  format  0におけるNDIのビット及びA-SRS要求のビットにより指示情報をキャリーし、ユーザ装置UEに、非周期サウンディングリファレンス信号SRSの送信を行わせ、これにより、ユーザ装置は、適時に該非周期サウンディングリファレンス信号を送信することができる。よって、DCI  format  0における未使用のビットを有効に利用することができるのみならず、選択の用に供するリソースを増やし、非周期サウンディングリファレンス信号SRSの衝突の発生を抑えることができる。
【００７５】
上述の実例一乃至四では、“X”は、NDIの1つのビットに対応し、“Y”は、A-SRS要求の1つのビットに対応する。
【００７６】
実例五：DCI  format  4について
本実施例では、指示情報をキャリーするビットが、NDIの1つのビット、及び、A-SRS要求の2つのビットである。そのうち、“Z”は、NDIの1つのビットに対応し、“XY”は、A-SRS要求の2つのビットに対応する。
【００７７】
本実施例では、該基地局が予め七組のリソースを構成してもよく、該七組のリソースのうちの各組のリソースは、すべて、該非周期サウンディングリファレンス信号の送信に使用するリソース情報を含み；その後、構成された該七組のリソースと、該2bitの指示情報とを対応させて記憶し；且つ、ユーザ装置に、非周期サウンディングリファレンス信号の送信を指示する時に、該指示情報により指示されている、ユーザ装置が使用するリソースは、予め構成された七組のリソースのうちの一組であり；そのうち、該七組のリソースは、すべて、上位層シグナリング、例えば、無線リソース制御（Radio  Resource  Control、RRC）プロトコールにより構成される。
【００７８】
表10は、本発明の基地局がRRCシグナリングにより構成した七組の、該非周期サウンディングリファレンス信号SRSの送信に使用するリソース情報を示している。
【表１０】
2014505414.tif 000012
【００７９】
NDIの1つのビットを新しく追加したので、選択の用に供するリソースを増やすことができ、これにより、非周期サウンディングリファレンス信号SRSの衝突の発生を抑えることができる。該リソースの構成方式及びユーザ側の処理方式は、実例一に類似するので、ここでは、その詳しい説明を略す。
【００８０】
また、共有リソースの処理については、実例二に類似するので、ここでは、その詳しい説明を略す。
【００８１】
実例六：DCI  format  4について
本実施例では、指示情報をキャリーするビットがNDIの1つのビット、及び、A-SRS要求の2つのビットである。
【００８２】
そのうち、基地局は、それぞれ、NDIの1つのビット及び非周期SRSの2つのビットに従って複数組のリソースを構成する。そのうち、“Z”は、NDIの1つのビットに対応し、“XY”は、A-SRS要求の2つのビットに対応する。
【００８３】
表11は、本発明の基地局がRRCシグナリングにより構成した、非周期SRS要求の2つのビットの状態に対応する三組のリソースを示している。表12は、本発明の基地局がRRCシグナリングにより構成した、NDIの1つのビットが示す状態に対応する二組のリソースを示している。
【表１１】
2014505414.tif 000013
【表１２】
2014505414.tif 000014
【００８４】
表12から分かるように、インデックス番号が#1及び#2である2つの上りCCを例として説明を行った。なお、これに限定されず、例えば、インデックス番号が#1及び#4である2つのCCであってもよく、Z=0は、そのうちの1つのCCに対応し、Z=1は、他の1つのCCに対応し、この時に、“Z=1”が対応するCCは、比較的高いインデックス番号、例えば、4に対応するCCであってもよく；また、インデックス番号が#0及び#2である2つのCCであってもよく、Z=0は、そのうち1つのCCに対応し、Z=1は、他の1つのCCに対応し、この時に、“Z=0”が対応するCCは、比較的低いインデックス番号、例えば、0に対応CCであってもよい。また、通常、インデックス番号の高低に従って並べることもでき、例えば、Z=0は、#1のCCを表し、Z=1は、#4のCCを表す等である。そのうち、上述の対応関係は、予め定義されたものであり、即ち、基地局eNB及びユーザ装置UEは、すべて、上述のマッピング関係を把握していた。
【００８５】
表11及び表12に示すように、そのうち、NDIの1ビットが対応するリソースは、CCインデックス数であり、A-SRS要求のビットが対応するリソースは、他のリソースである。
【００８６】
このようにして、基地局は、上述のリソースを構成して後にそれをユーザ装置UEに通知する。該ユーザ装置UEは、上述のリソースを記憶し、DCIを受信した後に、その中から指示情報を読み出す。NDIの1ビットが“0”に対応し、A-SRS要求の2ビットが“11”に対応すれば、ユーザ装置UEは、使用すべきリソースが“#2CC”であり、且つ、他のリソースが表11における“11”に対応するリソースであると確定することができる。
【００８７】
また、共有リソースの処理については、実例二に類似するので、ここでは、その詳しい説明を略す。
【００８８】
実例七：DCI  format  4について
本実施例では、指示情報をキャリーするビットがNDIの1つのビット、及び、A-SRS要求の2つのビットである。そのうち、“Z”は、NDIの1つのビットに対応し、“XY”は、A-SRS要求の2つのビットに対応する。
【００８９】
実例三及び四に類似して、基地局は、一組の、非周期SRSの送信に必要なリソースにおける一部リソースを構成し、他のリソースは、基地局により動的構成される。
【００９０】
表13は、本発明の実施例において基地局が構成した一組の、非周期SRSの送信に必要なリソースにおける一部リソースを示している。表14は、基地局が動的に構成した、表13のリソース以外の七組のリソースを示しており、本実施例では、アンテナ数及びCCインデックスであってもよい。
【表１３】
2014505414.tif 000015
【表１４】
2014505414.tif 000016
【００９１】
NDIのビットが1ビットである時に、該NDIのビットが示す状態及び非周期SRS要求のビットの状態は、それぞれ、異なるリソース情報を指示するために用いられる。表14では、NDIの1bit“Z”は、アンテナ数を示し、非周期SRS要求のビット“XY”は、CCインデックスに対応する。
【００９２】
このようにして、基地局は、上述のリソース構成を行った後に、ユーザ装置UEに通知し、ユーザ装置UEは、それを記憶し、DCIを受信した後に、その中から指示情報を読み出す。NDIの1ビットが対応するのは“0”であり、A-SRS要求の2ビットが対応するのは“10”であれば、ユーザ装置UEは、使用すべきリソースは、アンテナ数が2であり且つインデックス番号がC2であるCC、及び、表13における一組のリソースであると確定することができる。
【００９３】
実例八：DCI  format  4について
本実施例では、指示情報をキャリーするビットがNDIの2つのビット、及び、A-SRS要求の2つのビットである。
【００９４】
本実施例では、実例一及び二及び実例五に類似して、15組のリソースを構成するので、ここでは、その詳しい説明を略す。
【００９５】
実例九：DCI  format  4について
本実施例では、指示情報をキャリーするビットがNDIの2つのビット、及び、A-SRS要求の2つのビットである。NDIからA-SRSの順序で、“WZXY”と表される。そのうち、“WZ”は、NDIの2つのビットに対応し、“XY”は、A-SRS要求の2つのビットに対応する。
【００９６】
実例三、四及び七に類似して、基地局は、一組の、非周期SRSの送信に必要なリソースにおける一部リソースを表15に示すように構成し、他のリソースは、基地局により動的に構成される。
【００９７】
表15は、本発明の実施例において、基地局が構成した一組の、非周期SRSの送信に必要なリソースにおける一部リソースを示している。表16は、基地局が動的に構成した、表15におけるリソース以外の七組のリソースを示しており、本実施例では、伝送コム及び循環シフトであってもよい。
【表１５】
2014505414.tif 000017
【表１６】
2014505414.tif 000018
【００９８】
上述の実施例では、NDIのビットが2ビットである時に、NDIの1ビットの状態“W”が一つのリソース、即ち、伝送コムを指示するために用いられ；NDIの他の１ビットの状態“Z”及び非周期SRS要求のビットが一緒に他のリソース、例えば、循環シフトを指示するために用いられる。
【００９９】
また、上述の実施例に限られず、NDIの2ビットを採用して一つのリソースを指示し、A-SRS要求のビットを採用して他のリソースを指示してもよい。
【０１００】
基地局は上述のリソースを構成した後にユーザ装置UEに通知し、ユーザ装置UEは上述の構成されたリソース情報を保存し、ユーザ装置UEは、基地局が送信したDCIを受信した時に、その中の指示情報を読み出し、読み出す順序は、予め設置されてもよく、例えば、“WZXY”の順序で読み出し、その後、表15及び表16に構成されたリソースにより、非周期SRSを送信する。
【０１０１】
共有リソースの処理については、実例二に類似するので、ここでは、その詳しい説明を略す。
【０１０２】
実施例3
図2は、本発明の実施例3によるサウンディングリファレンス信号の送信方法のフローチャートである。図3に示すように、該方法は、次のようなステップを含む。
【０１０３】
ステップ201：ユーザ装置UEは、基地局が送信した上り伝送用の下り制御情報DCIを受信し；そのうち、該下り制御情報DCIは、ユーザ装置UEに、非周期サウンディングリファレンス信号を送信するかどうか、及び、非周期サウンディングリファレンス信号を送信する時に使用するリソースを指示するための指示情報を含み；且つ、該基地局は、該下り制御情報における新データ指示子のビット及び非周期サウンディングリファレンス信号要求のビットにより該指示情報をキャリーする。
【０１０４】
ステップ202：該ユーザ装置UEは、該指示情報に基づいて、非周期サウンディングリファレンス信号SRSの送信を行う。
【０１０５】
そのうち、該上り伝送用の下り制御情報DCIは、上りPUSCH送信用の下り制御情報DCI、例えば、DCI  format  0又は4であってもよい。
【０１０６】
上述の実施例からわかるように、基地局は、上り伝送を指示するための下り制御情報におけるNDIのビット及びA-SRS要求のビットにより指示情報を送信し、ユーザ装置UEに、非周期サウンディングリファレンス信号SRSの送信を行わせ、これにより、ユーザ装置は、適時に該非周期サウンディングリファレンス信号を送信することができる。よって、DCI  format  0又は4における未使用のビットを有効に利用することができるのみならず、選択の用に供するリソースを増やし、非周期サウンディングリファレンス信号SRSの衝突の発生を抑えることができる。
【０１０７】
本実施例では、基地局は、上位層シグナリングにより、非周期サウンディングリファレンス信号SRSの送信に使用するリソース情報を実施例2に記載のように構成し、ユーザ装置UEに通知し、また、ユーザ装置UE側は、基地局が上位層シグナリングにより構成したリソース情報を予め保存する。
【０１０８】
この場合、ステップ202において、ユーザ装置UEは、該指示情報に基づいて、非周期サウンディングリファレンス信号の送信を行い、具体的には、該ユーザ装置により、該指示情報が非周期サウンディングリファレンス信号の送信用の指示情報であると確定すれば、該ユーザ装置が、該指示情報、及び、予め保存された、指示情報とリソースとの第一マッピング関係に基づいて、該非周期サウンディングリファレンス信号の送信に使用するリソースを確定し；該ユーザ装置が、確定された該リソースを用いて、該非周期サウンディングリファレンス信号を送信し、或いは、確定されたリソース、及び、予め保存されたリソースを用いて、該非周期サウンディングリファレンス信号を送信することを含む。そのうち、該第一リソースマッピング関係は、該基地局が構成した複数組のリソースと、指示情報との対応関係であり；そのうち、該複数組のリソースのうちの各組のリソースは、すべて、上述の非周期サウンディングリファレンス信号の送信に使用するリソース情報を含む（実施例2における実例一及び実例二、及び実例五及び八に類似する）。そのうち、該予め保存された情報は、共有リソースであってもよい。
【０１０９】
本実施例では、ステップ202において、ユーザ装置UEは、該指示情報に基づいて、非周期サウンディングリファレンス信号の送信を行い、具体的には、該ユーザ装置UEにより、該指示情報が非周期サウンディングリファレンス信号の送信用の指示情報であると確定すれば、該ユーザ装置UEが、該指示情報、及び、予め保存された指示情報とリソースとの第二マッピング関係に基づいて、該非周期サウンディングリファレンス信号の送信に使用するリソースを確定し；該ユーザ装置UEが、予め保存されたリソース、及び、確定された該リソースを用いて、該非周期サウンディングリファレンス信号を送信することを含む。
【０１１０】
そのうち、該第二マッピング関係は、基地局が構成した上述の非周期サウンディングリファレンス信号の送信に使用するリソースにおける一部リソース情報以外の、上述の非周期サウンディングリファレンス信号の送信に必要なリソースと、指示情報との対応関係である（実施例2における実例三、四、七及び九に類似する）。
【０１１１】
この場合、NDIのビットが1ビットである時に、該NDIのビットの状態及び非周期サウンディングリファレンス信号要求のビットの状態は、それぞれ、異なるリソース情報を指示するために用いられ（実施例2の実例七に類似する）；又は、該NDIのビットが2ビットである時に、該NDIの1ビットの状態は、一つのリソースを指示するために用いられ、他の１ビット及び該非周期サウンディングリファレンス信号要求のビットは、他のリソースを指示するために用いられる（実施例2における実例九に類似する）。
【０１１２】
本実施例では、ステップ202において、ユーザ装置UEは、該指示情報に基づいて非周期サウンディングリファレンス信号の送信を行い、具体的には、次のようなステップを含む。
【０１１３】
該ユーザ装置UEにより、該指示情報が非周期サウンディングリファレンス信号の送信用の指示情報であると確定すれば、該ユーザ装置UEは、該指示情報、及び、予め保存された指示情報とリソースとの第三マッピング関係及び第四マッピング関係に基づいて、該非周期サウンディングリファレンス信号の送信に使用するリソースを確定し；該ユーザ装置は、確定された上述のリソースを用いて、該非周期サウンディングリファレンス信号を送信する。
【０１１４】
そのうち、該第三マッピング関係は、該基地局が構成した複数組のリソースと、非周期SRS要求のビットの状態との対応関係であり（実例六の表11に類似する）；そのうち、該複数組のリソースのうちの各組のリソースは、すべて、該非周期サウンディングリファレンス信号の送信に使用するリソースにおける一部リソースを含み；該第四マッピング関係は、基地局が構成した該非周期サウンディングリファレンス信号の送信に使用するリソースにおける一部リソース情報以外の、該非周期サウンディングリファレンス信号の送信に必要なリソースと、NDIのビットの状態との対応関係である（実例六の表12に類似する）。
【０１１５】
以下、実施例2における実例一乃至実例九のリソース構成を参照しながら、それぞれに対応して、ステップ202について説明を行う。
【０１１６】
そのうち、以下、format  0については、“X”は、NDIの1bitを表し、“Y”は、A-SRS要求の1ビットを表す。
【０１１７】
実例一：受信したDCI  format  0について（実施例2の実例一に対応する）
例えば、表3に示すように、ユーザ装置UEが受信した指示情報は‘XY’=‘00’である時に、ユーザ装置UEは、表3から、非周期サウンディングリファレンス信号SRSを送信せず、リソースを要しないことを把握することができ；ユーザ装置UEは、‘XY’=‘01’/‘10’/‘11’を受信した時に、所定時間に非周期サウンディングリファレンス信号SRSを送信し、また、予め保存された第一マッピング関係表、例えば、表3に従って、それ相応のリソースをルックアップする必要があると確定することができ、そのうち、各状態は一組のリソースに対応する。このようにして、該ユーザ装置UEは、予め構成されたリソースを用いて、非周期サウンディングリファレンス信号SRSを送信することができる。
【０１１８】
以上、基地局が上位層により非周期サウンディングリファレンス信号SRSの送信に使用するリソースを構成することを例として説明した。
【０１１９】
実例二：受信したDCI  format  0について（実施例2の実例二に対応する）
ユーザ装置UEは、‘XY’=‘01’/‘10’/‘11’を受信した時に、預定時間に非周期サウンディングリファレンス信号SRSを送信し、また、予め保存された第一マッピング関係表、例えば表4に基づいて、それ相応のリソースをルックアップする必要があると確定することができ、そのうち、各状態は一組のリソースに対応する。このようにして、該ユーザ装置UEは、予め構成された表4におけるリソース、及び、予め保存された共有リソースを用いて、非周期サウンディングリファレンス信号SRSを送信することができる。
【０１２０】
このようにして、上位層シグナリングのコストを低減することができる。
【０１２１】
実例三：受信したDCI  format  0について（実施例2の実例三に対応する）
上位層シグナリングのコストを更に低減するために、動的にリソースを表6〜8に示すように構成することができる。
【０１２２】
この場合、ユーザ装置UE側は、基地局が上位層により構成した非周期サウンディングリファレンス信号SRSの送信用の一部リソース情報を表5に示すように予め保存し、且つ、該一部リソース情報以外のリソースと、指示情報とのマッピング関係表をも表6〜表8に示すように保存する。そのうち、該一部リソース情報は、非周期サウンディングリファレンス信号SRSの送信に使用するリソース情報のサブセットである。
【０１２３】
例えば、表6に示すように、ユーザ装置が受信した指示情報は‘XY’=‘00’である時に、ユーザ装置UEは、表6から、非周期サウンディングリファレンス信号SRSを送信せず、アンテナを要しないことを把握することができ；ユーザ装置は、‘XY’=‘01’/‘10’/‘11’を受信した時に、表6に従って、それ相応のアンテナ情報をルックアップし、そのうち、‘XY’=‘01’の時に、1つのアンテナを用いて非周期サウンディングリファレンス信号SRSを送信し；‘XY’=‘10’の時に、2つのアンテナを用いて非周期サウンディングリファレンス信号SRSを送信し；‘XY’=‘11’の時に、4つのアンテナを用いて非周期サウンディングリファレンス信号SRSを送信する。このようにして、該ユーザ装置UEは、上位層により構成された一部リソース（例えば、表5）、及び、該指示情報‘XY’により指示されたリソースを用いて、非周期サウンディングリファレンス信号SRSを送信することができる。
【０１２４】
例えば、表7に示すように、ユーザ装置が受信した指示情報は‘XY’=‘00’である時に、ユーザ装置UEは、表7から、非周期サウンディングリファレンス信号SRSを送信せず、CCを使用しないことを把握することができ；ユーザ装置が‘XY’=‘01’を受信した時に、DCI  format  0に指示された下りCCが対応する上りCC上で、非周期サウンディングリファレンス信号SRSを送信することを表し；‘XY’=‘10’の時に、インデックス番号が“M”である上りCC上で、非周期サウンディングリファレンス信号SRSを送信することを表し、そのうち、“M”は、上位層シグナリングRRCにより構成されてもよく；‘XY’=‘11’の時に、インデックス番号が“N”である上りCC上で、非周期サウンディングリファレンス信号SRSを送信することを表し、そのうち、“N”は、上位層シグナリングRRCにより構成されてもよい。このようにして、該ユーザ装置UEは、上位層により構成された一部リソース、及び、該指示情報‘XY’により指示されたリソースを用いて、非周期サウンディングリファレンス信号SRSを送信することができる。
【０１２５】
例えば、表8に示すように、ユーザ装置が受信した指示情報は‘XY’=‘00’である時に、ユーザ装置UEは、表7から、非周期サウンディングリファレンス信号SRSを送信せず、循環シフトCSを行わないことを把握することができ；ユーザ装置が‘XY’=‘01’を受信した時に、インデックス番号が“L”である循環シフトCSで、非周期サウンディングリファレンス信号SRSを送信することを表し；‘XY’=‘10’の時に、インデックス番号が“M”である循環シフトCSで、非周期サウンディングリファレンス信号SRSを送信することを表し；‘XY’=‘11’の時に、インデックス番号が“N”である循環シフトCSで、非周期サウンディングリファレンス信号SRSを送信することを表し、そのうち、“L、M、N”は、上位層シグナリングRRCにより構成されてもよい。このようにして、該ユーザ装置UEは、上位層により構成された一部リソース、及び、該指示情報‘XY’により指示されたリソースを用いて、非周期サウンディングリファレンス信号SRSを送信することができる。
【０１２６】
上述の表6〜表8に示すのは、本発明の実施例の状況のみであるが、これに限定されず、他の情報を構成してもよく、これは、実際の状況に応じて確定してもよい。このようにして、動的に構成したリソースを採用することにより、上位層シグナリングコストを低減し、非周期サウンディングリファレンス信号SRSをより柔軟に送信し、ユーザ装置UE間の衝突の確率を減少させることができる。
【０１２７】
上述の実施例では、基地局により構成された一部リソースが、周期サウンディングリファレンス信号SRS及び非周期サウンディングリファレンス信号SRSの送信時の共有リソースを含む場合を例として説明を行った。
【０１２８】
実例四：受信したDCI  format  0について（実施例2の実例四に対応する）
シグナリングのコストを更に低減するために、基地局により構成された該一部リソースは、上述の共有リソースを含まなくてもよく、該共有リソースは、予め基地局側及びユーザ装置側に保存され、ユーザ装置UEの使用に供する。
【０１２９】
例えば、表9及び表8を例として説明を行う。
【０１３０】
ユーザ装置UEが受信した指示情報は‘XY’=‘00’である時に、ユーザ装置UEは、表8から、非周期サウンディングリファレンス信号SRSを送信せず、循環シフトCSを行わないことを把握することができ；ユーザ装置UEが‘XY’=‘01’を受信した時に、インデックス番号が“L”である循環シフトCSで、非周期サウンディングリファレンス信号SRSを送信することを表し；‘XY’=‘10’である時に、インデックス番号が“M”である循環シフトCSで、非周期サウンディングリファレンス信号SRSを送信することを表し；‘XY’=‘11’の時に、インデックス番号が“N”である循環シフトCSで、非周期サウンディングリファレンス信号SRSを送信することを表し、そのうち、“L、M、N”は、上位層シグナリングRRCにより構成されてもよい。このようにして、該ユーザ装置UEは、上位層により構成された一部リソース（例えば、表9）、及び、該指示情報‘XY’により指示されたリソース、及び、予め保存された共有リソースを用いて、非周期サウンディングリファレンス信号SRSを送信することができる。
【０１３１】
以上、DCI  format  0を例として詳しく説明したが、DCI  format  4の場合は、上述に類似するので、以下、実例を参照しながら簡単に説明する。
【０１３２】
実例五：受信したDCI  format  4について（実施例2の実例五に対応する）
本実施例では、指示情報をキャリーするビットがNDIの1ビット、及び、A-SRS要求の2ビットである。
【０１３３】
実例一に類似して、該ユーザ装置UEは、指示情報に基づいて表10をルックアップし、予め構成されたリソース（例えば、表10）を用いて非周期サウンディングリファレンス信号SRSを送信することができる。
【０１３４】
以上、基地局が上位層により非周期サウンディングリファレンス信号SRSの送信に用いるリソースを構成することを例として説明を行った。
【０１３５】
実例六：受信したDCI  format  4について（実施例2の実例六に対応する）
本実施例では、指示情報をキャリーするビットがNDIの1ビット、及び、A-SRS要求の2ビットである。
【０１３６】
基地局は表11及び表12のようなリソースを構成した時に、ユーザ装置UEは、DCIを受信した後に、その中から指示情報を読み出し、NDIの1ビットが対応するのは“0”であり、A-SRS要求の2ビットが対応するのは“11”であれば、ユーザ装置UEは、使用すべきリソースが“#1CC”であり、且つ他のリソースが表11における“11”に対応するリソースであると確定することができる。
【０１３７】
また、共有リソースの処理については、実例二に類似するので、ここでは、その詳しい説明を略す。
【０１３８】
実例七：受信したDCI  format  4について（実施例2の実例七に対応する）
指示情報をキャリーするビットがNDIの1ビット、及び、A-SRS要求の2ビットである。そのうち、“Z”は、NDIの1ビットに対応し、“XY”は、A-SRS要求の2ビットに対応する。
【０１３９】
実例三及び四に類似して、基地局は、一組の、非周期SRSの送信に必要なリソースにおける一部リソースを構成し、他のリソースは、基地局により動的に構成される。
【０１４０】
基地局は表13及び表14のようなリソースを構成した場合に、ユーザ装置UEは、DCIを受信した後に、その中から指示情報を読み出し、NDIの1ビットが対応するのは“0”であり、A-SRS要求の2ビットが対応するのは“11”であり、“011”を構成すれば、ユーザ装置UEは、表14に基づいて、使用すべきリソースは、アンテナ数が2であり、CCインデックスが“C1&C2”であり、且つ他のリソースは表13におけるリソースであると確定することができる。
【０１４１】
実例八：受信したDCI  format  4について
指示情報をキャリーするビットがNDIの2ビット、及び、A-SRS要求の2ビットである。実例一及び二、及び実例五に類似する。
【０１４２】
実例九：受信したDCI  format  4について
指示情報をキャリーするビットがNDIの2ビット、及び、A-SRS要求の2ビットである。NDIからA-SRSの順序で、“WZXY”と表される。そのうち、“WZ”は、NDIの2ビットに対応し、“XY”は、A-SRS要求の2ビットに対応する。
【０１４３】
実例三、四及び七に類似して、基地局は図15及び図16のリソースを構成した後にユーザ装置UEに通知し、ユーザ側は構成された上述のリソース情報を保存する。
【０１４４】
ユーザ装置UEは基地局が送信したDCIを受信した時に、その中の指示情報を読み出し、読み出す順序は、予め設置されてもよく、例えば、“WZXY”の順序で読み出してもよく、その後、表15及び表16に従って、使用すべきリソースを見つけ、そして、該リソースを用いて非周期SRSを送信する。
【０１４５】
例えば、NDIの2ビットが“01”であり、A-SRS要求の2ビットが“00”である時に、表16をルックアップし、NDIの第一個のビットに対応する状態“0”に基づいて、伝送コムが#1であることを把握することができ、また、NDIの第二個のビットに対応する状態“1”、及び、A-SRS要求の2ビット“00”により構成される“100”に基づいて、循環シフトがC4であることを把握することができる。
【０１４６】
このようにして、該ユーザ装置UEは、見つけられたリソース及び表15のリソースを用いて非周期SRSを送信する。
【０１４７】
以下、図3及び図4を参照して、10MHzの帯域幅の構成の下で、LTE-AFDDシステムにおいて、DCI  format  0又は4におけるNDIのビット及びA-SRS要求のビットを用いて、非周期サウンディングリファレンス信号の送信をトリガーし、また、該非周期サウンディングリファレンス信号の送信に使用するリソースを指示することを例として、本発明の実施例による非周期サウンディングリファレンス信号の送信方法について説明する。
【０１４８】
図3は、本発明の実施例4による基地局側のサウンディングリファレンス信号の送信方法のフローチャートである。図3に示すように、該方法は、次のようなステップを含む。
【０１４９】
ステップ301：基地局は、異なる機能に基づいて、それ相応のDCIソースビットを構成する。
【０１５０】
そのうち、伝送パターン及システム要求に基づいてそれ相応のDCIソースビットを生成することができ、そのうち、DCIソースビットの生成プロセスは、従来技術に類似するので、ここでは、その詳しい説明を略す。該DCIにおけるNDIのビット及びA-SRS要求のビットを用いて指示情報をキャリーし、該指示情報は、実施例1及び2に記載のようであるので、ここでは、その詳しい説明を略す。
【０１５１】
ステップ302：該基地局は、生成された該DCIソースビットに、巡回冗長検査（Cyclic  Redundancy  Check、CRC）を追加する。
【０１５２】
ステップ303：CRCが追加されたDCIソースビットに対して変調コーディング及びレートマッチング（rate  matching）を行う。
【０１５３】
ステップ304：物理制御チャネル（Physical  Downlink  Control  Channel、PDCCH）を形成し、対応する物理的時間周波数リソースにマッピングし、また、PDCCHにより、ユーザ装置UEに送信する。
【０１５４】
図4は、本発明の実施例4によるユーザ装置側のサウンディングリファレンス信号の送信方法のフローチャートである。図4に示すように、該方法は、次のようなステップを含む。
【０１５５】
まず、ユーザ装置UEは、伝送パターンに基づいて可能なDCIを検出し、その後、検出されたDCIに基づいて非周期SRSの送信の要否を確定し、具体的には、次のようなステップを含む。
【０１５６】
ステップ401：ユーザ装置は、対応する時間周波数リソース上でPDCCHを受信する。
【０１５７】
ステップ402：レートデマッチング（rate  de-matching）、復調（demodulation）、デコーディングを行う。
【０１５８】
ステップ403：CRC検査が正確かそれとも誤りかを判断し、判断結果が正確であれば、ステップ404を行い、そうでなければ、ステップ407を行う。
【０１５９】
ステップ404：ステップ403において、判断結果が「CRC検査正確」であれば、非周期SRSの送信の要否を更に判断し、判断結果が送信要であれば、ステップ405を行い、そうでなければ、ステップ409を行う。
【０１６０】
そのうち、指示情報の状態を判断することにより、非周期SRSの送信の要否を判断することができ、具体的には、実施例2及び3に記載のようであるので、ここでは、その詳しい説明を略す。
【０１６１】
非周期SRSの送信を確定すれば、ユーザ装置UEは、所定時間に非周期SRSを送信することができ、そのうち、所定時間に非周期SRSを送信することは、具体的に、次のようなステップを含んでもよい。
【０１６２】
ユーザ装置UEは、第n個のサブフレームに、トリガー情報を含むDCIを受信した場合、ユーザ装置は、少なくとも4個のサブフレームの後の、周期及オフセット条件を満たす第1個のサブフレームにおいて、非周期SRSを送信する。
【０１６３】
ステップ405：ステップ404において、判断結果が非周期SRSの送信であれば、該ユーザ装置は、指示情報に基づいて、使用すべきリソースを確定することができる。
【０１６４】
そのうち、指示情報及びリソースの確定については、実施例1及び2に記載のようであるので、ここでは、その詳しい説明を略す。
【０１６５】
ステップ406：ユーザ装置UEは、確定されたリソースを用いて、所定時間に該非周期SRSを送信する。また、対応するPDSCHを受信することもできる。
【０１６６】
ステップ407：ステップ403において、CRC検査が誤りであれば、最大ブラインド検査回数を超えたかどうかを更に確定し、確定結果が「はい」であれば、ステップ408を行い、そうでなければ、ステップ401に戻す。
【０１６７】
ステップ408：ステップ407において、判断結果が「はい」であれば、該PDCCHを捨て（discard）、プロセスが終了する。
【０１６８】
ステップ409：ステップ404において、判断結果が「非周期SRSを送信しない」であれば、該ユーザ装置UEは、非周期SRSを送信しない。
【０１６９】
上述の実施例からわかるように、基地局は、上り伝送用の下り制御情報、例えば。DCI  format  0又はDCI  format  4における新データ指示子（NDI：New  Data  Indicator）のビット及び非周期サウンディングリファレンス信号要求（A-SRS  Request）のビットを用いて指示情報を送信することにより、ユーザ装置UEに、該指示情報に基づいて、非周期サウンディングリファレンス信号SRSの送信を行わせることができる。よって、DCI  format  0又はDCI  format  4における未使用のビットを利用することができるのみならず、選択の用に供するリソースを増やし、非周期サウンディングリファレンス信号SRSの衝突の発生を抑えることもできる。
【０１７０】
当業者が理解すべきは、上述の実施例の方法における全部又は一部のステップの実現は、プログラムによって関連するハードウェアを指示することにより完成することができ、上述のプログラムは、コンピュータ読み取り可能な記録媒体に記録されてもよく、該プログラムは、実行される時に、上述の実施例の方法における全部又は一部のステップを含んでもよく、また、上述の記録媒体は、ROM、RAM、磁気ディスク、光ディスク等を含んでもよいとのことである。
【０１７１】
本発明の実施例は、基地局及びユーザ装置をも次の実施例に記載のように更に提供する。該基地局及びユーザ装置が問題を解決する原理は、上述の基地局及びユーザ装置に基づく非周期サウンディングリファレンス信号の送信方法と類似し、該基地局及びユーザ装置の実施は、上述の方法の実施を参照することができるので、ここでは、その重複した説明を略す。
【０１７２】
図5は、本発明の実施例5による基地局の構成図である。図5に示すように、該基地局は、情報生成ユニット501及び情報送信ユニット502を含む。
【０１７３】
情報生成ユニット501：上り伝送用の下り制御情報DCIを生成するために用いられ、そのうち、下り制御情報は、ユーザ装置に、非周期サウンディングリファレンス信号を送信するかどうか、及び、非周期サウンディングリファレンス信号を送信する時に使用するリソースを指示するための指示情報を含み；且つ、下り制御情報における新データ指示子のビット及び非周期サウンディングリファレンス信号要求のビットにより、指示情報をキャリーする。
【０１７４】
情報送信ユニット502：ユーザ装置に下り制御情報を送信するために用いられ、これにより、ユーザ装置は、下り制御情報に含まれている指示情報に基づいて、非周期サウンディングリファレンス信号の送信を行う。
【０１７５】
本実施例では、該下り制御情報は、DCI  format  0又はDCI  format  4であってもよい。
【０１７６】
上述の実施例では、情報生成ユニット501は、図3に示す方法を採用することができるので、ここでは、その詳しい説明を略す。
【０１７７】
上述の実施例から分かるように、基地局は、上り伝送用の下り制御情報、例えば、DCI  format  0又はDCI  format  4における新データ指示子（NDI：New  Data  Indicator）のビット及び非周期サウンディングリファレンス信号要求（A-SRS  Request）のビットを用いて指示情報を送信することにより、ユーザ装置UEに、該指示情報に基づいて、非周期サウンディングリファレンス信号SRSの送信を行わせることができる。よって、DCI  format  0又はDCI  format  4における未使用のビットを有効に利用することができるのみならず、選択の用に供するリソースを増やし、非周期サウンディングリファレンス信号SRS衝突の発生を抑えることもできる。
【０１７８】
図6は、本発明の実施例6による基地局の構成図である。図6に示すように、該基地局は、情報生成ユニット601及び情報送信ユニット602を含み、その機能は、実施例5に類似するので、ここでは、その詳しい説明を略す
また、該基地局は、第一リソース構成ユニット603及び第一マッピング関係記憶ユニット604を更に含む。
【０１７９】
第一リソース構成ユニット603：複数組のリソースを構成するために用いられ、そのうち、複数組のリソースのうちの各組のリソースは、非周期サウンディングリファレンス信号の送信に使用するリソース情報を含む。
【０１８０】
第一マッピング関係記憶ユニット604：構成された複数組のリソースと、それ相応の指示情報とを対応させて記憶するために用いられる。
【０１８１】
この場合、ユーザ装置に、非周期サウンディングリファレンス信号の送信を指示する時に、指示情報により指示されているユーザ装置が使用するリソースは、予め構成された複数組のリソースのうちの一組である。
【０１８２】
上述から分かるように、基地局は、上位層シグナリング、例えば、RRCにより、非周期サウンディングリファレンス信号の送信に使用するリソース情報を構成し、また、該リソースと指示情報とを表3及び表10に示すように対応させて記憶することができる。
【０１８３】
上述の実施例では、第一リソース構成ユニット603が構成した複数組のリソースのうちの各組のリソースに含まれている非周期サウンディングリファレンス信号の送信に使用するリソース情報は、基地局が構成した周期サウンディングリファレンス信号の送信用のすべてのリソース情報であってよく、該すべてのリソース情報のサブセットであってもよい。これは、実施例1〜3に記載のようであるので、ここでは、その詳しい説明を略す。
【０１８４】
図7は、本発明の実施例7による基地局の構成図である。図7に示すように、該基地局は、情報生成ユニット701及び情報送信ユニット702を含み、その機能は、実施例5に類似するので、ここでは、その詳しい説明を略す。
【０１８５】
また、基地局は、第二リソース構成ユニット703、記憶ユニット704及び第三リソース構成ユニット705を更に含む。
【０１８６】
第二リソース構成ユニット703：一組の、非周期サウンディングリファレンス信号の送信に使用するリソースにおける一部リソース情報を構成するために用いられる。
【０１８７】
記憶ユニット704：第二リソース構成ユニットが構成した一部リソース情報を記憶するために用いられる。
【０１８８】
第三リソース構成ユニット705：複数組の、一部リソース情報以外の、非周期サウンディングリファレンス信号の送信に必要なリソースを構成するために用いられる。
【０１８９】
第二マッピング関係記憶ユニット706：構成された複数組の、一部リソース情報以外の、非周期サウンディングリファレンス信号の送信に必要なリソースと、それ相応の指示情報とを対応させて記憶するために用いられる。
【０１９０】
この場合、ユーザ装置に、非周期サウンディングリファレンス信号の送信を指示する時に、指示情報により指示されている、ユーザ装置が使用するリソースは、一部リソース情報以外の、非周期サウンディングリファレンス信号の送信に必要なリソースである。
【０１９１】
上述の実施例では、第二リソース構成ユニット703が構成した一部リソースは、非周期サウンディングリファレンス信号の送信に使用するリソース情報のサブセットである。具体的には、実施例1乃至3に記載のようであるので、ここでは、その詳しい説明を略す。
【０１９２】
上述から分かるように、上位層シグナリングのコストを低減するために、基地局は、送信周期SRSと共有のリソースを構成せず、又は、上位層シグナリングにより非周期サウンディングリファレンス信号の送信用の一部リソース情報のみを構成し、他のリソース情報は、指示情報により動的に割り当てられ、即ち、指示情報に基づいて，表6〜表8、表14及び表16に示すリソースから確定され得る。
【０１９３】
図8は、本発明の実施例8による基地局の構成図である。図8に示すように、該基地局は、情報生成ユニット801及び情報送信ユニット802を含み、その機能は、実施例5に類似するので、ここでは、その詳しい説明を略す。
【０１９４】
また、基地局は、第四リソース構成ユニット803、第三マッピング関係記憶ユニット804、第五リソース構成ユニット805、及び第四マッピング関係記憶ユニット806を更に含む。
【０１９５】
第四リソース構成ユニット803：非周期SRS要求のビットの状態数よりも一つ少ない複数組のリソースを構成するために用いられる。
【０１９６】
第三マッピング関係記憶ユニット804：構成された複数組のリソースと、該非周期サウンディングリファレンス信号要求のビットの状態とを対応させて記憶するために用いられ；該複数組のリソースのうちの各組のリソースは、すべて、非周期サウンディングリファレンス信号の送信に使用するリソース情報における一部リソース情報を含む。
【０１９７】
第五リソース構成ユニット805：該新データ指示子のビットの状態数に等しい数の複数組の、該一部リソース情報以外の、該非周期サウンディングリファレンス信号の送信に必要なリソースを構成するために用いられる。
【０１９８】
第四マッピング関係記憶ユニット806：構成された複数組のリソースと、該新データ指示子のビットの状態とを対応させて記憶するために用いられる。
【０１９９】
この場合、ユーザ装置に、非周期サウンディングリファレンス信号の送信を指示する時に、該指示情報により指示されているユーザ装置が使用するリソースは、上述の新データ指示子のビットの状態が対応するリソース、及び、非周期サウンディングリファレンス信号要求のビットの状態が対応するリソースを含む。
【０２００】
上述の実施例では、該非周期サウンディングリファレンス信号の送信に使用するリソース情報は、さらに、基地局が構成した、周期サウンディングリファレンス信号の送信用のリソース情報のサブセットであってもよい。
【０２０１】
上述の実施例では、第三リソース構成ユニットが複数組の、該一部リソース情報以外の、非周期SRSの送信に必要なリソースを構成する時に、該新データ指示子のビットが1ビットである時に、該新データ指示子のビットの状態及び非周期サウンディングリファレンス信号要求のビットの状態が、それぞれ、異なるリソース情報を指示するために用いられる。
【０２０２】
或いは、該新データ指示子のビットが2ビットである時に、該新データ指示子の1ビットの状態が、一つのリソースを指示するために用いられ、該新データ指示子の他の一つのビット及び上述の非周期サウンディングリファレンス信号要求のビットが、他の一つのリソースを指示するために用いられる。
【０２０３】
また、第一、第二、第三、第四、第五リソース構成ユニットの具体的な構成方式については、実施例2に記載のようであるので、ここでは、その詳しい説明を略す。
【０２０４】
また、該基地局は、さらに、情報通知ユニット（図示せず）を含んでもよく、該情報通知ユニットは、第一、第二、第三、第四、第五リソース構成ユニットが構成したリソースと、指示情報とのマッピング関係をユーザ装置UEに通知するために用いられ、これにより、ユーザ装置UEは、指示情報及び該マッピング関係に基づいて、非周期SRSの送信に使用するリソースを確定することができる。
【０２０５】
上述の実施例から分かるように、基地局は、上り伝送用の下り制御情報、例えば、DCI  format  0又はDCI  format  4における新データ指示子（NDI：New  Data  Indicator）のビット及び非周期サウンディングリファレンス信号要求（A-SRS  Request）のビットを用いて指示情報を送信することにより、ユーザ装置UEに、該指示情報に基づいて、非周期サウンディングリファレンス信号SRSの送信を行わせることができる。よって、DCI  format  0又はDCI  format  4における未使用のビットを有効に利用することができるのみならず、選択の用に供するリソースを増やし、非周期サウンディングリファレンス信号SRSの衝突の発生を抑えることもできる。
【０２０６】
図9は、本発明の実施例9によるユーザ装置の構成図である。図9に示すように、該ユーザ装置UEは、情報受信ユニット901及び情報処理ユニット902を含む。
【０２０７】
情報受信ユニット901：基地局が送信した上り伝送用の下り制御情報を受信するために用いられ；そのうち、該下り制御情報は、ユーザ装置に、非周期サウンディングリファレンス信号を送信するかどうか、及び、非周期サウンディングリファレンス信号を送信する時に使用するリソースを指示するための指示情報を含み；且つ、上述の基地局は、該下り制御情報における新データ指示子のビット及び非周期サウンディングリファレンス信号要求のビットを用いて上述の指示情報をキャリーする。
【０２０８】
情報処理ユニット902：情報受信ユニット901が受信した指示情報に基づいて、非周期サウンディングリファレンス信号の送信を行うために用いられる。
【０２０９】
本実施例では、該下り制御情報は、DCI  format  0又はDCI  format  4である。
【０２１０】
上述の実施例では、情報受信ユニット901及び情報処理ユニット902は、図4に示すような方法を採用することができるので、ここでは、その詳しい説明を略す。
【０２１１】
上述の実施例から分かるように、基地局は、上り伝送用の下り制御情報、例えば、DCI  format  0又はDCI  format  4における新データ指示子（NDI：New  Data  Indicator）のビット及び非周期サウンディングリファレンス信号要求（A-SRS  Request）のビットを用いて指示情報を送信することにより、ユーザ装置UEに、該指示情報に基づいて、非周期サウンディングリファレンス信号SRSの送信を行わせることができる。よって、DCI  format  0又はDCI  format  4における未使用のビットを有効に利用することができるのみならず、選択の用に供するリソースを増やし、非周期サウンディングリファレンス信号SRSの衝突の発生を抑えることもできる。
【０２１２】
図10は、本発明の実施例9における情報処理ユニットの構成図である。図10に示すように、該情報処理ユニット902は、次のようなユニットを含む。
【０２１３】
第一判断ユニット1001：該指示情報が非周期サウンディングリファレンス信号の送信用の指示情報であるかどうかを判断するために用いられる。
【０２１４】
第一リソース確定ユニット1002：該指示情報が非周期サウンディングリファレンス信号の送信用の指示情報である時に、該指示情報、及び、予め保存された、指示情報とリソースとの第一マッピング関係に基づいて、該非周期サウンディングリファレンス信号の送信に使用するリソースを確定するために用いられ；そのうち、該第一リソースマッピング関係は、該基地局が構成した複数組のリソースと、指示情報との対応関係であり；そのうち、該複数組のリソースのうちの各組のリソースは、すべて、上述の非周期サウンディングリファレンス信号の送信に使用するリソース情報を含む。
【０２１５】
第一信号送信ユニット1003：第一リソース確定ユニット1002が確定したリソースを用いて、該非周期サウンディングリファレンス信号を送信し；又は、該第一リソース確定ユニット1002が確定したリソース及び予め保存されたリソースを用いて、該非周期サウンディングリファレンス信号を送信するために用いられる。
【０２１６】
また、該情報処理ユニット802は、指示情報とリソースとの第一マッピング関係を記憶するための第一記憶ユニット1004を更に含む。そのうち、基地局が該非周期SRSの送信に使用する全部リソース情報を構成すれば、第一信号送信ユニット1003は、第一リソース確定ユニット1002が確定したリソースを用いて、非周期サウンディングリファレンス信号を送信するために用いられる。基地局が該非周期SRSの送信に使用する全部リソース情報のサブセットを構成すれば、即ち、共有リソースを構成しなければ、第一信号送信ユニット1003は、第一リソース確定ユニット1002が確定したリソース及び予め保存されたリソースを用いて、該非周期サウンディングリファレンス信号を送信するために用いられ、具体的には、実施例1〜3に記載のようであるので、ここでは、その詳しい説明を略す。
【０２１７】
図11は、本発明の実施例9における情報処理ユニットの構成図である。図11に示すように、該情報処理ユニット902は、次のようなユニットを含む。
【０２１８】
第二判断ユニット1101：上述の指示情報が非周期サウンディングリファレンス信号の送信用の指示情報であるかどうかを判断するために用いられる。
【０２１９】
第二リソース確定ユニット1102：該指示情報が非周期サウンディングリファレンス信号の送信用の指示情報である時に、該指示情報、及び、予め保存された、指示情報とリソースとの第二マッピング関係に基づいて、該非周期サウンディングリファレンス信号の送信に使用するリソースを確定するために用いられ；そのうち、該第二マッピング関係は、基地局が構成した上述の非周期サウンディングリファレンス信号の送信に使用するリソースにおける一部リソース情報以外の、該非周期サウンディングリファレンス信号の送信に必要なリソースと、指示情報との対応関係である。
【０２２０】
第二信号送信ユニット1103：予め構成されたリソース、及び、第二リソース確定ユニット1102が確定した上述のリソースを用いて、該非周期サウンディングリファレンス信号を送信するために用いられる。
【０２２１】
また、該情報処理ユニット902は、指示情報とリソースとの第二マッピング関係を記憶するための第二記憶ユニット1104をさらに含み；さらに、基地局が上位層シグナリングにより構成した一部リソースを記憶するための第三記憶ユニット1105を含んでもよい。そのうち、基地局は、予め一組の、該非周期SRSの送信に使用するリソース情報における一部リソース情報を構成し、且つ、該一部リソース情報には、送信周期SRSと共有のリソースが含まれている時に、第二信号送信ユニット1103は、予め保存された、リソース（基地局が予め構成した一組のリソース、及び、第二リソース確定ユニット1102が確定したリソースを用いて、非周期サウンディングリファレンス信号を送信するために用いられる。
【０２２２】
基地局は、一組の、該非周期SRSの送信に用いるリソース情報における一部リソース情報を構成し、且つ、該一部リソース情報には、上述の共有リソースが含まれていない時に、第二信号送信ユニット1103は、予め保存されたリソース（予め保存された、基地局が構成した一組のリソース及び予め保存された共有リソース）、及び、第二リソース確定ユニット1102が確定したリソースを用いて、非周期サウンディングリファレンス信号を送信するために用いられ、具体的には、実施例1〜3に記載のようであるから、ここでは、その詳しい説明を略す。
【０２２３】
図12は、本発明の実施例9における情報処理ユニットの構成図である。図12に示すように、該情報処理ユニット902は、次のようなユニットを含む。
【０２２４】
第三判断ユニット1201：該指示情報が非周期サウンディングリファレンス信号の送信用の指示情報であるかどうかを判断するために用いられる。
【０２２５】
第三リソース確定ユニット1202：該指示情報が非周期サウンディングリファレンス信号の送信用に指示情報であると確定した時に、該指示情報、及び、予め保存された、指示情報とリソースとの第三マッピング関係及び第四マッピング関係に基づいて、該非周期サウンディングリファレンス信号の送信に使用するリソースを確定するために用いられる。
【０２２６】
そのうち、該第三マッピング関係は、該基地局が構成した複数組のリソースと、非周期サウンディングリファレンス信号要求のビットの状態との対応関係であり；そのうち、該複数組のリソースのうちの各組のリソースは、すべて、該非周期サウンディングリファレンス信号の送信に使用するリソースにおける一部リソースを含み；該第四マッピング関係は、基地局が構成した該非周期サウンディングリファレンス信号の送信に使用するリソースにおける一部リソース情報以外の、上述の非周期サウンディングリファレンス信号の送信に必要なリソースと、新データ指示子のビットの状態との対応関係である。
【０２２７】
第三信号送信ユニット1203：確定された該リソースを用いて、該非周期サウンディングリファレンス信号を送信するために用いられる。
【０２２８】
また、該情報処理ユニット902は、指示情報とリソースとの第三及び第四マッピング関係を記憶するために用いられる。
【０２２９】
上述の実施例から分かるように、基地局は、上り伝送用の下り制御情報、例えば、DCI  format  0又はDCI  format  4における新データ指示子（NDI：New  Data  Indicator）のビット及び非周期サウンディングリファレンス信号要求（A-SRS  Request）のビットを用いて指示情報を送信することにより、ユーザ装置UEは、該指示情報に基づいて、非周期サウンディングリファレンス信号SRSの送信を行うことができる。よって、DCI  format  0又はDCI  format  4における未使用のビットを有効に利用することができるのみならず、選択の用に供するリソースを増やし、非周期サウンディングリファレンス信号SRSの衝突の発生を抑えることもできる。
【０２３０】
本実施例では、コンピュータ読み取り可能なプログラムも提供され、そのうち、基地局において該プログラムを実行する時に、該プログラムは、コンピュータに、基地局において、実施例1及び2に記載のようなサウンディングリファレンス信号の送信方法を実行させる。
【０２３１】
本発明の実施例は、コンピュータ読み取り可能なプログラムを記録した記録媒体をも提供し、そのうち、該コンピュータ読み取り可能なプログラムは、コンピュータに、基地局において、実施例1及び2に記載のようなサウンディングリファレンス信号の送信方法を実行させる。
【０２３２】
本実施例では、コンピュータ読み取り可能なプログラムも提供され、そのうち、ユーザ装置に該プログラムを実行する時に、該プログラムは、コンピュータに、ユーザ装置において、実施例3に記載のようなサウンディングリファレンス信号の送信方法を実行させる。
【０２３３】
本発明の実施例は、コンピュータ読み取り可能なプログラムを記録した記録媒体をも提供し、そのうち、該コンピュータ読み取り可能なプログラムは、コンピュータに、ユーザ装置において実施例3に記載のようなサウンディングリファレンス信号の送信方法を実行させる。
【０２３４】
本発明の以上の装置及び方法は、ハードウェアにより実現されてもよく、ハードウェア及びソフトウェアの組み合わせにより実現されてもよい。本発明は、次のようなコンピュータ読み取り可能なプログラムに関し、即ち、該プログラムは、ロジック部品により実行される時に、該ロジック部件に、上述の装置又は構成ユニットを実現させることができ、或いは、該ロジック部品に、上述の各種方法又はステップを実現させることができる。本発明は、また、上述のプログラムを記録した記録媒体、例えば、ハードディスク、磁気ディスク、光ディスク、DVD、flashメモリ等にも関する。
【０２３５】
以上、具体的な実施形態を参照しながら本発明について説明したが、当業者が理解すべきは、これらの説明は例示的なものであり、本発明の保護範囲を限定するためのものではないとのことである。また、当業者は、本発明の精神及び原理に基づいて、本発明に対して各種の変形及び変更を行ってもよく、また、これらの変形及び変更は、すべて本発明の技術的範囲に属する。
【図１】
2014505414.tif 000019
【図２】
2014505414.tif 000020
【図３】
2014505414.tif 000021
【図４】
2014505414.tif 000022
【図５】
2014505414.tif 000023
【図６】
2014505414.tif 000024
【図７】
2014505414.tif 000025
【図８】
2014505414.tif 000026
【図９】
2014505414.tif 000027
【図１０】
2014505414.tif 000028
【図１１】
2014505414.tif 000029
【図１２】
2014505414.tif 000030
【国際調査報告】
2014505414.tif 000031
2014505414.tif 000032
2014505414.tif 000033
2014505414.tif 000034